(57)【要約】【課題】多数の端末装置を接続しても安定した通信を行なうことができるＰＬＣ通信を用いたネットワークシステムを提供する。【解決手段】ＰＬＣ親機モデム１３の通信線接続ポートに、第１の分岐アダプタ１５の分岐前ポートを接続するとともに第１の分岐アダプタ１５の分岐後ポートにＰＬＣ中継機１６の通信線接続ポートを接続し、ＰＬＣ中継機１６の電力線接続ポートに、電力線を介して第２の分岐アダプタ７の分岐前ポートを接続した構成としている。さらに、第２の分岐アダプタ７の分岐後ポートに、通信線を介してＰＬＣ子機モデム９の通信線接続ポートを接続し、ＰＬＣ子機モデム９の端末装置接続ポートに端末装置８を接続した構成としている。また、データ伝送を行なうためのマスタフレームには、ＰＬＣ子機モデム９が端末装置８から取得した緊急通報に係る情報を伝送するための緊急通報帯域を備えている。【選択図】  図１
2010028554.tif 000002
【特許請求の範囲】
【請求項１】
ＰＬＣ親機モデムが伝送する第１の同期信号に基づいて設定されるマスタフレームに従って、前記ＰＬＣ親機モデムがＰＬＣ中継機を中継して端末装置を接続したＰＬＣ子機モデムをポーリングすることにより、通信を行なうＰＬＣ通信を用いたネットワークシステムであって、
前記ＰＬＣ親機モデムの通信線接続ポートに、第１の分岐アダプタの分岐前ポートを接続するとともに前記第１の分岐アダプタの分岐後ポートに前記ＰＬＣ中継機の通信線接続ポートを接続し、前記ＰＬＣ中継機の電力線接続ポートに、電力線を介して第２の分岐アダプタの分岐前ポートを接続した構成を有し、
さらに、前記第２の分岐アダプタの分岐後ポートに、通信線を介して前記ＰＬＣ子機モデムの通信線接続ポートを接続し、前記ＰＬＣ子機モデムの端末装置接続ポートに前記端末装置を接続した構成を備えていることを特徴とするＰＬＣ通信を用いたネットワークシステム。
【請求項２】
前記マスタフレームは、前記ＰＬＣ親機モデムが前記第１の同期信号を前記ＰＬＣ中継機に伝送するために用いる第１の同期信号送信帯域と、前記ＰＬＣ中継機が前記第１の同期信号に同期させて第２の同期信号を前記ＰＬＣ子機モデムに伝送するために用いる第２の同期信号送信帯域と、特定中継機帯域と、前記ＰＬＣ子機モデムが前記端末装置から取得したユーザデータをＰＬＣ中継機を介して前記ＰＬＣ親機モデムに伝送するために用いるユーザデータ伝送帯域と、を備えていることを特徴とする請求項１に記載のＰＬＣ通信を用いたネットワークシステム。
【請求項３】
前記マスタフレームは、前記ＰＬＣ子機モデムが前記端末装置から取得したイベントフラグに関する情報を、前記ＰＬＣ子機モデムが緊急通報として前記ＰＬＣ中継機に伝送するために用いる緊急通報帯域を備え、
前記ＰＬＣ中継機は、前記ＰＬＣ子機モデムから受信した前記イベントフラグに関する情報を、前記特定中継機帯域を用いて前記ＰＬＣ親機モデムに伝送することを特徴とする請求項２に記載のＰＬＣ通信を用いたネットワークシステム。
【請求項４】
前記緊急通報帯域は、時分割多重方式のタイムスロットから構成されていることを特徴とする請求項３に記載のＰＬＣ通信を用いたネットワークシステム。
【請求項５】
前記ユーザデータは、前記ＰＬＣ子機モデムが該ＰＬＣ子機モデムに接続された前記端末装置から取得した情報を含むことを特徴とする請求項１又は請求項２に記載のＰＬＣ通信を用いたネットワークシステム。
【請求項６】
前記ＰＬＣ親機モデムはＬＡＮ接続ポートを備え、前記ＰＬＣ親機モデムは前記ＬＡＮ接続ポートを介してサーバを備えた上位管理システムに接続されていることを特徴とする請求項１に記載のＰＬＣ通信を用いたネットワークシステム。
【発明の詳細な説明】
【技術分野】
【０００１】
本発明は、ＰＬＣ親機モデムと、端末装置を接続した多数のＰＬＣ子機モデムとを、ＰＬＣ中継機を介して敷設したＰＬＣ通信を用いたネットワークシステム、特に、多数の端末装置をネットワークに接続しても、ＰＬＣ親機モデムと端末装置を接続したＰＬＣ子機モデム間で安定したデータの送受信と実効速度の向上を実現することができるネットワークシステムに関するものである。
【背景技術】
【０００２】
電力を供給する電力線にデータ伝送を行なうための信号を重畳して通信を行なう、いわゆるＰＬＣ（Power Line Communication）の技術を用いたネットワークシステムが実用化されている。ＰＬＣを用いた通信の基本的な技術は、データ伝送を行なうデジタル信号をアナログ高周波信号に変調し、この変調処理を行なって得たアナログ高周波信号を、交流電力を流す電力線に重畳して電力線に送出すること、及び電力線に重畳されたアナログ高周波信号を分離してデジタル信号に復調する処理を行ない、このデジタル信号を端末装置に送出することにある。これらの処理を行なう通信装置として、ＰＬＣモデムが使用されている。そして、このＰＬＣモデムに各種の端末装置を接続した各種のネットワークシステムが提案され、実用化されている。
【０００３】
ＰＬＣモデムを用いたネットワークシステム、特に、多数の端末装置を接続したシステムについては、下記の特許文献１及び特許文献２に記載れているように、ネットワークを構成する各端末装置にＰＬＣモデム（以下、「ＰＬＣ子機モデム」という）を接続するとともに、これらＰＬＣ子機モデムの動作を制御するＰＬＣモデム（以下、「ＰＬＣ親機モデム」という）を、電力線を介して接続したシステムが提案されている。
【０００４】
また、非特許文献１には、集合住宅棟内におけるＰＬＣモデムを用いたネットワークシステム例が記載されている。このシステム例においては、集合住宅の受電設備を構成する変圧器にＰＬＣ親機モデムを接続し、この変圧器から各戸に配線した電力線は各戸に設置された分電盤に接続されているので、この分電盤から各部屋に配線された電力線にＰＬＣ子機モデムを接続した例が示されている。
【０００５】
さらに、ＰＬＣ通信を用いたネットワークシステムにおいて、通信の信頼性を確保するための技術として、例えば、下記特許文献３に記載れているように、ネットワークシステム内にＰＬＣ中継機を配置し、このＰＬＣ中継機を介してＰＬＣ子機モデムを接続することが提案されている。
【０００６】
また、下記特許文献４には、遊技ホールの一元監視・管理システムとして各遊技ホール内の情報を送受信する島ネットワークと、各遊技ホール、各種管理端末（サーバ／クライアント）、認証局端末（サーバ／クライアント）の相互の情報を送受信する遊技ホール外のグローバルネットワークとからなる２階層ネットワークが提案されている。さらに、特許文献４には、この島ネットワークに接続されている遊技機と島コンピュータに供給される商用１００Ｖ又は２００Ｖの電力線に、情報信号を高周波信号として重畳し、また電力線に高周波重畳された情報信号を分離する電力線重畳信号変復調手段を付加するこが記載されている。
【０００７】
【特許文献１】特開２００８−４２６２３号公報
【特許文献２】特開２００８−７２５７９号公報
【特許文献３】特開２００５−２８６６３１号公報
【特許文献４】特開２００７−４４２１７号公報
【非特許文献１】株式会社オーム社、高速電力線通信システム（ＰＬＣ）とＥＭＣ、第２６頁〜第２７頁、図２．５、平成１９年１１月２０日発行
【発明の開示】
【発明が解決しようとする課題】
【０００８】
一つの建屋やビル等にＰＬＣ通信を用いたネットワークシステムを構築し、このネットワークシステムに多数の端末装置、例えば、２０００台以上（最大２４００台程度）を超えるような端末装置を接続した大規模なネットワークシステムを安定して稼働させるためには、下記の課題を解決する必要がある。
【０００９】
（１）分岐によるロスを低減させることが第１の課題になる。多数の端末装置を備えている大規模システムにおいては、データ伝送を行なうための伝送路となる電力線を、分電盤により多数に分岐する必要が生じるが、その分岐数が増大すると分岐に伴う損失（ロス）も大になる。また、ネットワークシステムに接続された多数の端末装置からはノイズが発生し、このノイズは伝送路となる電力線に入り込んで通信の信頼性を低下させる。このため、ＰＬＣ通信においては、ＰＬＣ親機モデムとＰＬＣ子機モデム間の伝送路によるロスを６０ｄＢ以下にする必要があると考えられる。
【００１０】
この第１の課題を解決するためには、特許文献１、２及び３に記載されているようにＰＬＣ親機モデムの制御に基づいてＰＬＣ子機モデムの動作を制御する方式、あるいはＰＬＣ中継機を採用することが望ましい。しかしながら、特許文献１、２及び３には、最大２４００台という多数の端末装置を接続したＰＬＣ通信を用いたネットワークシステムについて、第１の課題である分岐によるロスを低減させるための具体的な手段については開示されていない。
【００１１】
（２）ネットワークシステム内における通信の最大実効速度を確保して、ＰＬＣ親機モデムとＰＬＣ子機モデム間の高速な応答と、安定した通信を如何に確保するかが第２の課題になる。通信の実効速度を確保する手段として、従来からＣＳＭＡ−ＣＡ方式が採用されている。ＣＳＭＡ−ＣＡ方式は、キャリアセンスに基づいて多元接続が行われるため、高速応答、ならびに高速伝送が可能である。しかし、端末装置を多数接続したシステムでは雑音が多くなるので、ＣＳＭＡ−ＣＡ方式は安定したキャリアセンスが行われなくなり、安定した通信の実現が困難になる。
【００１２】
多数の端末装置を接続したネットワークシステムにおいて、安定した通信を行なうためには、ＰＬＣ親機モデムのポーリング処理により呼ばれたＰＬＣ子機モデムが応答するポーリング方式が適しているが、ＰＬＣ子機モデムの応答時間はＰＬＣ親機モデムのポーリング周期によって決定されるため、高速応答は不可能になる。上記した特許文献１、２及び特許文献３にも、多数の端末装置を接続したネットワークシステムにおいて、第２の課題である最大実効速度と安定した通信を確保するための具体的な手段については開示されていない。
【００１３】
（３）端末装置で発生した緊急情報を、ＰＬＣ親機モデムを経由して上位のサーバ等に、如何に短時間で通知するかが第３の課題になる。なお、上記した「緊急情報」とは、ＰＬＣ子機モデムに接続された端末装置、例えば、大規模遊技ホールに設置された遊技機（端末装置）において大当りに関する情報、あるいは遊技機で不正行為が発生したときに、この不正行為に関する検知信号等の情報を示す。
【００１４】
この第３の課題を解決するために特許文献４に記載されている手段は、監視カメラで撮影された遊技者の画像を、グローバルネットワークに接続された管理者サーバで監視するようにした手段である。しかし、特許文献４には、遊技ホールに多数設置されている遊技機からこの「緊急情報」を管理者サーバにＰＬＣ通信を利用して速く伝送するための伝送路の構成やその具体的な手段については開示されていない。
【００１５】
そこで、本発明の目的は、ＰＬＣ通信を用いたネットワークシステムにおいて、上記した課題を解決して最大２４００台という多数の端末装置をこのネットワークシステムに接続しても、安定、かつ高い実効速度を得ることができるネットワークシステムを提供することにある。
【課題を解決するための手段】
【００１６】
上記した課題を解決するために、請求項１に記載の発明に係るＰＬＣ通信を用いたネットワークシステムは、ＰＬＣ親機モデムが伝送する第１の同期信号に基づいて設定されるマスタフレームに従って、前記ＰＬＣ親機モデムがＰＬＣ中継機を中継して端末装置を接続したＰＬＣ子機モデムをポーリングすることにより、通信を行なうＰＬＣ通信を用いたネットワークシステムであって、
前記ＰＬＣ親機モデムの通信線接続ポートに、第１の分岐アダプタの分岐前ポートを接続するとともに前記第１の分岐アダプタの分岐後ポートに前記ＰＬＣ中継機の通信線接続ポートを接続し、前記ＰＬＣ中継機の電力線接続ポートに、電力線を介して第２の分岐アダプタの分岐前ポートを接続した構成を有し、
さらに、前記第２の分岐アダプタの分岐後ポートに、通信線を介して前記ＰＬＣ子機モデムの通信線接続ポートを接続し、前記ＰＬＣ子機モデムの端末装置接続ポートに前記端末装置を接続した構成を備えていることを特徴としている。
【００１７】
また、請求項２に記載の発明は、請求項１に記載のＰＬＣ通信を用いたネットワークシステムに係り、前記マスタフレームは、前記ＰＬＣ親機モデムが前記第１の同期信号を前記ＰＬＣ中継機に伝送するために用いる第１の同期信号送信帯域と、前記ＰＬＣ中継機が前記第１の同期信号に同期させて第２の同期信号を前記ＰＬＣ子機モデムに伝送するために用いる第２の同期信号送信帯域と、特定中継機帯域と、前記ＰＬＣ子機モデムが前記端末装置から取得したユーザデータをＰＬＣ中継機を介して前記ＰＬＣ親機モデムに伝送するために用いるユーザデータ伝送帯域と、を備えていることを特徴としている。
【００１８】
また、請求項３に記載の発明は、請求項２に記載のＰＬＣ通信を用いたネットワークシステムに係り、前記マスタフレームは、前記ＰＬＣ子機モデムが前記端末装置から取得したイベントフラグに関する情報を、前記ＰＬＣ子機モデムが緊急通報として前記ＰＬＣ中継機に伝送するために用いる緊急通報帯域を備え、
前記ＰＬＣ中継機は、前記ＰＬＣ子機モデムから受信した前記イベントフラグに関する情報を、前記特定中継機帯域を用いて前記ＰＬＣ親機モデムに伝送することを特徴としている。
【００１９】
また、請求項４に記載の発明は、請求項３に記載のＰＬＣ通信を用いたネットワークシステムに係り、前記緊急通報帯域は、時分割多重方式のタイムスロットから構成されていることを特徴としている。
【００２０】
また、請求項５に記載の発明は、請求項１又は請求項２のいずれかに記載のＰＬＣ通信を用いたネットワークシステムに係り、前記ユーザデータは、前記ＰＬＣ子機モデムが該ＰＬＣ子機モデムに接続された前記端末装置から取得した情報を含むことを特徴としている。
【００２１】
また、請求項６に記載の発明は、請求項１に記載のＰＬＣ通信を用いたネットワークシステムに係り、前記ＰＬＣ親機モデムはＬＡＮ接続ポートを備え、前記ＰＬＣ親機モデムは前記ＬＡＮ接続ポートを介してサーバを備えた上位管理システムに接続されていることを特徴としている。
【発明の効果】
【００２２】
本発明によれば、ＰＬＣ親機モデムと、複数のＰＬＣ中継機と、これら各ＰＬＣ中継機の制御配下に接続された多数のＰＬＣ子機から構成されるネットワークシステムに、２４００台程度の端末装置を接続しても、データ伝送の衝突が発生することなく、端末装置から取得した緊急情報やユーザデータを信頼性高く、かつ、高い実効速度でデータ通信を行なうことができるＰＬＣ通信を用いたネットワークシステムを提供することができる。
さらに、ＰＬＣ親機モデムにサーバ等を備えた上位管理システムを接続しているので、
本発明に係るＰＬＣ通信を用いたネットワークシステムと上位管理システムとの双方向の通信を可能とした、ＰＬＣ通信を用いたネットワークシステムを提供することができる。
【発明を実施するための最良の形態】
【００２３】
本発明のＰＬＣ通信を用いたネットワークシステムは、１台のＰＬＣ親機モデムと、各遊技機の通信ポートに接続されたＰＬＣ子機モデムとの間に、複数のＰＬＣ中継機を介在させ、これらＰＬＣ親機モデムとＰＬＣ中継機とＰＬＣ子機モデムとを繋ぐ伝送路は、電力線や通信線を使用したネットワーク構成としている。さらに、このネットワーク構成は、１台のＰＬＣ親機モデムの制御配下に複数のＰＬＣ中継機を設置し、このＰＬＣ中継機の制御配下に多数のＰＬＣ子機モデムを設置した構成とするとともに、ＰＬＣ親機モデムは、サーバを備えた既設又は新設の上位管理システムにも接続可能にした構成にしている。
【００２４】
このように、多数の端末装置を接続したネットワークシステムを実現するために、ＰＬＣ親機モデムを第１の分岐アダプタの分岐前ポートに接続し、この第１の分岐アダプタの各分岐後ポートにＰＬＣ中継機を接続した構成にしている。さらに、ＰＬＣ中継機とＰＬＣ子機モデムとを繋ぐ伝送路に第２の分岐アダプタを設け、この第２の分岐アダプタの各分岐後ポートに、端末装置と接続されたＰＬＣ子機モデムを接続した構成にすることにより、ネットワークに最大２４００台という多数の端末装置を接続可能にしている。
また、ＰＬＣ親機モデムは、ポーリング制御を実施するために、所定の時間間隔、例えば、１０ｍｓ〜５０ｍｓ間隔で基準となるマスタクロック信号（以下、「同期信号」という）をＰＬＣ中継機に伝送する機能を備えている。
【００２５】
上記した構成を備えている本発明のＰＬＣ通信を用いたネットワークシステムにおいて、ＰＬＣ親機モデム、ＰＬＣ中継機及びＰＬＣ子機モデムは、ＰＬＣ親機モデムの制御に基づいて、次の１）〜４）に記載の手順でポーリング制御を実施する。
【００２６】
１）ＰＬＣ親機モデムは、基準となる同期信号（第１の同期信号）を所定の時間間隔でＰＬＣ中継機に送出（伝送）送信する。そして、ＰＬＣ中継機はこの第１の同期信号に同期し、ＰＬＣ親機モデムと同期確立している状態で、新たな第２の同期信号を制御配下のＰＬＣ子機モデムに送信する。ＰＬＣ子機モデムは、この第２の同期信号を受信してＰＬＣ中継機に同期する。これにより、ＰＬＣ中継機は既にＰＬＣ親機モデムに同期しているので、ＰＬＣ親機モデムとＰＬＣ中継機とＰＬＣ子機モデムの全てが、ＰＬＣ親機モデムの基準信号となる第１の同期信号に同期する。このように、各ＰＬＣ中継機とＰＬＣ子機モデムは、ＰＬＣ親機モデムの第１の同期信号に同期した状態で、ＰＬＣ親機モデムのポーリング制御に従って動作する。
【００２７】
２）上記１）に記載のＰＬＣ親機モデムとＰＬＣ中継機とＰＬＣ子機モデムの全てがＰＬＣ親機モデムの第１の同期信号に同期している条件の基に、データ伝送を行なうためのマスタフレームを設定する。このマスタフレームには、第１の同期信号を伝送する第１の同期信号送信帯域と、第２の同期信号を伝送する第２の同期信号送信帯域と、特定中継機帯域と、ＰＬＣ子機モデムがＰＬＣ中継機に緊急通報に係る情報を伝送するための緊急通報帯域（緊急通報タイムスロット）と、ユーザデータ伝送帯域を設定している。
【００２８】
そして、この第１の同期信号送信帯域は、第１の同期信号と、ＰＬＣ親機モデムがポーリングテーブルを参照して決定したポーリング制御を行なうための送信権情報（後述する２バイトの固有の識別情報）を、ＰＬＣ親機モデムからＰＬＣ中継機モデムに転送するために使用する。また、特定中継機帯域は、ＰＬＣ中継機がＰＬＣ親機モデムより受信したこの送信権情報をＰＬＣ子機モデムへ転送するために使用する。
これにより、ＰＬＣ親機モデム、ＰＬＣ中継機、ＰＬＣ子機モデムは同一の時間軸上で同一の送信権情報を共有できるようにしている。なお、上記した送信権情報とは、例えば、ＰＬＣ親機モデムとＰＬＣ中継機間で通信（伝送）を行なうときにデータ伝送を行なう権利（送信権）を示す。
【００２９】
３）さらに、マスタフレームに設定したユーザデータ伝送帯域は、ＰＬＣ親機モデムとＰＬＣ中継機とＰＬＣ子機がユーザデータの伝送を行なうための共通の帯域としている。なお、このユーザデータとは、端末装置を接続しているＰＬＣ子機モデムが、この端末装置から取得した情報、例えば、端末装置が遊技機である場合には、遊技機から送信された演出情報に関する情報、大当りに関する情報等を示す。さらに、このユーザデータとしては、ＰＬＣ通信を用いたネットワークシステムに接続されている上位管理（上位ネットワーク）システムが備えているサーバ等からＰＬＣ親機モデムに送信された下り方向のユーザデータ、例えば、監視カメラを作動させるための制御データ等を含めることもできる。
【００３０】
４）また、ＰＬＣ親機モデムとＰＬＣ中継機との通信は、第１の同期信号に同期させて、ＰＬＣ親機モデムが予め設定したポーリングテーブルを参照して、ＰＬＣ中継機をポーリングする通信手段を採用している。さらに、ＰＬＣ中継機とこのＰＬＣ中継機に接続されたＰＬＣ子機モデムとの通信は、ＰＬＣ親機モデムから伝送された第１の同期信号に同期させて発生させた第２の同期信号を周波数多重化伝送に符号多重手段を付加したＯＦＤＭ（Orthogonal Frequency Division Multiplexing）方式によりＰＬＣ子機モデムに伝送可能としている。これにより、ＰＬＣ親機モデムとＰＬＣ中継機とＰＬＣ子機モデムは、同じ時間軸上でＰＬＣ親機モデムが伝送する第１の同期信号に同期を確立した状態で通信を行なうようにしている。
【００３１】
続いて、本発明のＰＬＣ通信を用いたネットワークシステムの実施形態について説明する。本発明は、多数の端末装置、例えば、大規模遊技ホールにおいて、２０００台以上（最大２４００台程度）のパチンコ遊技機、あるいはパチンコ遊技機とパチスロ遊技機等の端末装置を接続したＰＬＣ通信を用いたネットワークシステムに適用して効果を発揮することができる。以下に説明する本発明の実施形態は、本発明を大規模遊技ホールに適用した場合を例にして説明する。
【００３２】
このような大規模な遊技ホールにおいては、各フロアの状況を監視するためのホール内監視室が設置されており、この監視室にはサーバ（店舗サーバ）を備えたイーサネット（登録商標）ＬＡＮ（local Area Network）システムが構築されている。本発明は、このサーバを備えたＬＡＮシステム（上位管理システム）にも接続可能としている。なお、以下の説明において、ＰＬＣ子機モデムに接続する端末装置はパチンコ遊技機、あるいはパチスロ遊技機（以下、「遊技機」という）として説明するが、端末装置はこれらの遊技機のみに限定されるものではない。例えば、遊技媒体の貸し出しを行なう遊技媒体貸出機やフロアを監視する監視カメラ等も接続することが可能である。
【００３３】
［システム構成］
続いて、大規模遊技ホールにおいて、本発明を実施するためのネットワークシステムの構成例を、図１〜図３に基づいて説明する。
図１〜図３は、多数のパチンコ遊技機等の遊技機を設置した遊技ホールに、本発明を実施するためのＰＬＣ通信を用いたネットワークシステムの構成例を示す図である。なお、図１は遊技ホールのＰＬＣ通信を用いたネットワークシステムについて、その全体のシステム構成例を示す図、図２は遊技ホールの受電設備から各フロア用の分電盤（以下、「フロア入口分電盤」という）までの電力線の経路と、このフロア入口分電盤から遊技機までの電力線を含む伝送路の経路例を示す図、図３は遊技ホールを３階建ての建屋としたときのネットワークシステムの構成例を示す図である。
【００３４】
大規模な遊技ホール、例えば、２０００台以上（最大２４００台程度）のパチンコ遊技機やパチスロ遊技機を設置した遊技ホールは、３〜５階建て等の複数のフロア（床）を備えた建屋から構成される場合がある。各フロアには、多数のパチンコ機が列状に、いわゆる「遊技機島」単位で配置されるとともに、この「遊技機島」がフロアの横方向又は縦方向に複数列にわたって配列されている。このような建屋においては、多数の遊技機や各フロアに設置されている各種の設備や照明機器に電源を供給するための受電設備（Ａ）が屋上（又は地下室）に設置されている。
【００３５】
図１に示すように、受電設備（Ａ）には高圧線によりＡＣ６．６ＫＶが導かれ、変圧器１によりＡＣ１００Ｖ（又は２００Ｖ）に変換される。そして、この変換されたＡＣ１００Ｖの電源は、例えば、６分岐の分電盤２により分岐されて、電力線４ａを介し複数のフロア入口分電盤３ａ、３ｂ、３ｃ、・・・に供給される。複数のフロア入口分電盤３ａ、３ｂ、３ｃ、・・・は、所定のフロア（図１に示す例ではフロア（ＢＩ））に設けられた分電盤室（例えば、図３に示す分電盤室（Ｆ））に纏めて設置される。これらのフロア入口分電盤３ａ、３ｂ、３ｃ、・・・は、例えば３２分岐の分電盤から構成される。また、フロア入口分電盤３ａ、３ｂ、３ｃ、・・・は、フロアごとに、さらに各フロアに設置されている遊技機８、照明機器、その他機器に電源を供給する分電盤として、その用途を区別して設置されている場合もある。
【００３６】
図３に示す遊技ホールの建屋例では、フロア（Ｂ１）に分電盤室（Ｆ）とホール内監視室（Ｄ）が設置されている例を示している。また、図３に示すように、通常の遊技ホールにおいて遊技機８が設置されているフロアには、２台の遊技機８を向かい合わせに所定の間隔（以下、「島内隙間」という）をおいて配置するとともに、これら向かい合わせて配置した遊技機８を横方向に複数配列した、いわゆる「遊技機島」を構成し、これら複数の遊技機島Ｃ１、Ｃ２、Ｃ３、・・・をフロアの縦（横）方向、または縦横方向に通路を介して複数配列させたレイアウトを備えている。上記した島内隙間には、図１（図３）に示す遊技機８に遊技球を供給する装置等が設置されている。
【００３７】
遊技機島Ｃ１、Ｃ２、Ｃ３、・・・の島内隙間であって遊技機島の長手方向の中央部付近に、例えば、３２分岐の島分電盤５を設置する。なお、島分電盤５は、既設の島分電盤を使用してもよい。これら各島分電盤は、分電盤室（Ｆ）の遊技機用のフロア入口分電盤３ｂ、３ｃ、・・から天井又は床下を経由した電力線４ｂにより接続されている。さらに、各遊技機島Ｃ１等に設置されている島分電盤５から分岐させた電力線４ｃは、図２に示すように、各遊技機島の島内隙間に所定の間隔を設けて設置したコンセントＣｎ１、Ｃｎ２、・・・に接続する。
【００３８】
そして、図２に示すように、例えば、遊技機島内に設置したコンセントＣｎ１、Ｃｎ２、・・・のそれぞれには第２の分岐アダプタ７の分岐前ポートを、電力線４ｃを介して接続する。また、第２の分岐アダプタの分岐後ポートにはＰＬＣ子機モデム９の通信線接続ポートを、通信線１０ｄを介して接続する。図２に示す例においては、第２の分岐アダプタ７は、４つの分岐後ポートを備えた４分岐アダプタであって、これら各分岐後ポートに１台のＰＬＣ子機モデム９を接続した例を示している。
【００３９】
さらに、ＰＬＣ子機モデム９の端末装置接続ポート（例えば、ＲＳ２３２ＣＩ／Ｆポート）を、図１（図２）に示すように、遊技機島を構成する遊技機８の１台と接続する。なお、ＰＬＣ子機モデム９と接続する遊技機８の通信ポートは、例えば、ＲＳ２３２ＣＩ／Ｆ等を使用する。また、遊技機８ごとに１台接続するＰＬＣ子機モデム９は、遊技機島の島内隙間であって各遊技機８の筐体から離して遊技機島内の設備として設置するようにする。
【００４０】
また、図２に示すように、島分電盤５から電力線４ｃを介して接続されたコンセントＣｎ１、Ｃｎ２、・・・等には、ＡＣ１００ＶをＡＣ２４Ｖに変換する変換トランス６を接続する。変換トランス６は、遊技機８の駆動電力となるＡＣ２４Ｖを供給するためのトランスであって、例えば、一つの変換トランス６から４〜５台の遊技機８にＡＣ２４Ｖの駆動電力を電力線４ｄにより供給するようにする。従って、変換トランス６の設置台数は、遊技機島を構成する遊技機８の台数に応じて適切な数とする。
【００４１】
このようにして、島分電盤５と遊技機８を接続する伝送路（電力線４ｃ→通信線１０ｄ）と、島分電盤５から遊技機８に供給する電源線の経路４ｃ→４ｄとは別系統、すなわち、島分電盤５から遊技機８に供給する電源線の経路４ｃ→変換トランス６→４ｄは、バイパス経路を構成するようにしている。
【００４２】
第２の分岐アダプタ７は、伝送路を多数に分岐する手段と、電力線に重畳された高周波信号についてこの多数の分岐に伴う分岐ロスの低減と、伝送路における上り方向及び下り方向のインピーダンスの整合をとるために設けた分岐用のアダプタである。
【００４３】
続いて、図１及び図３に基づいて、島分電盤５を接続しているフロア入口分電盤３ｂ、３ｃ、・・・を、第１の同期信号を伝送するＰＬＣ親機モデム（第１の親機モデム）１３に伝送路を介して接続する手段について説明する。
【００４４】
前記したように、分電盤室（Ｆ）には、各フロアに電源を供給するために多数のフロア入口分電盤３ａ、３ｂ、３ｃ、３ｄ・・・が設置されている。このうち異なる数個のフロア入口分電盤、例えば、フロア入口分電盤３ｂ、３ｃ、・・・等は、各フロア（Ｂ２）と（Ｂ３）に設置された島分電盤５に電源を供給するために使用される。そして、これら島分電盤５に電源を供給するフロア入口分電盤３ｂ、３ｃ、・・・の分岐点の中点に、ＰＬＣ中継機１６のＡＣ１００Ｖ（電力線）接続ポート（回線側）を、電力線４ｅを介して接続する。さらに、ＰＬＣ中継機１６の通信線接続ポートを、通信線１０ｃを介して第１の分岐アダプタ１５の分岐後ポートに接続する。これにより、第１の分岐アダプタ１５の各分岐後ポートにはＰＬＣ中継機１６が接続され、ＰＬＣ中継機１６はフロア入口分電盤３ｂ、３ｃ、・・・等の何れかに接続されることになる。なお、第１及び第２の分岐アダプタ７、１５の構成については、後述する。
【００４５】
さらに、第１の分岐アダプタ１５の分岐前ポートを、通信モードとしたＰＬＣ親機モデム１３の回線側（通信線）ポートと通信線１０ｂを介して接続する。これにより、ＰＬＣ親機モデム１３が発生した第１の同期信号や、後述する店舗サーバ１２等からのＰＬＣ親機モデム１３に送信されたユーザデータは、ＰＬＣ通信の下り方向となるＰＬＣ中継機１６を介してこのＰＬＣ中継機１６の制御配下のＰＬＣ子機モデム９に伝送することが可能になる。また、上り方向であるユーザデータ、すなわち、遊技機８で表示する一般演出情報、遊技機８で発生した大当りに関する情報や、不正行為等の検出信号に係る情報等を、ＰＬＣ子機モデム９からＰＬＣ中継機１６を介してＰＬＣ親機モデム１３に、さらにＰＬＣ親機モデム１３から店舗サーバ１２等に伝送することが可能になる。
【００４６】
上記したように、本発明においては、ＰＬＣ親機モデム１３を第１の分岐アダプタ１５の分岐前ポートに接続し、第１の分岐アダプタ１５の分岐後ポートにＰＬＣ中継機１６の通信線接続ポートを接続し、ＰＬＣ中継機１６の電力線接続ポートを、電力線４ｅを介してフロア入口分電盤３ｂ、３ｃ、・・・の何れかに接続している。また、図１に示すように、フロア入口分電盤３ｂ等は、電力線４ｂを介して遊技機島Ｃ１等に設置されている島分電盤５に接続している。さらに、島分電盤５に第２の分岐アダプタ７の分岐前ポートを接続し、この第２の分岐アダプタ７の分岐後ポートに通信線１０ｄを介してＰＬＣ子機モデム９を接続したネットワークの構成にしている。
【００４７】
数階建のビルにおいては、一般に上記したフロア入口分電盤は分電盤室（Ｆ）に多数設置されている場合が多いが、これら複数のフロア入口分電盤間においては、高周波的には独立した電力線系統になっている。しかし、本発明に採用しているネットワーク構成は、上記したように、ＰＬＣ親機モデム１３とフロア入口分電盤３ｂ等とを、第１の分岐アダプタ１５とＰＬＣ中継機１６を介して接続するとともに、これらフロア入口分電盤３ｂ等とＰＬＣ子機モデム９とを、島分電盤５と第２の分岐アダプタ７を介して接続している。これにより、ＰＬＣ親機モデム１３とＰＬＣ子機モデム９間の通信データは、伝送路を多数に分岐しても確実に通信線や電力線を介して伝送されるので、その分岐ロスを低減させることが可能になる。
なお、遊技機島Ｃ１等の配置されている端末装置（遊技機８）の台数が少ない場合には、島分電盤５は必ずしも必要としない。
【００４８】
一般に、大規模な遊技ホールにおいては、各フロアの状況を監視カメラで監視するためのホール内監視室（Ｄ）が設けられている。また、遊技ホールには、各遊技機８の稼働状況、出玉状況、大当たりの発生回数等に関する情報を把握するためのホール内ＬＡＮ１１によるネットワーク（上位管理）システムが構築され、ホール内監視室（Ｄ）には、このＬＡＮ１１に接続された店舗サーバ（ホールコンピュータ）１２やパーソナルコンピュータから構成される端末装置（以下、「ＰＣ端末」という）１９が設置されている。
【００４９】
本発明のＰＬＣ通信を用いたネットワークシステムは、この既存のホール内ＬＡＮ１１によるネットワークシステムにも接続することができる。本発明のＰＬＣ通信を用いた遊技ホール用ネットワークシステムをホール内ＬＡＮ１１によるネットワークシステムと接続する方法を説明すると、次のようになる。
【００５０】
図１に示すように、ＰＬＣ親機モデム１３のＬＡＮ接続ポートとなるイーサネット（登録商標）接続ポートを、第２のＰＬＣ親機モデム１４のイーサネット（登録商標）接続ポートにＬＡＮケーブル１０ａを介して接続する。さらに、第２のＰＬＣ親機モデム１４の電力線接続（ＡＣ１００Ｖ）ポートを、フロア入口分電盤３ａから分岐された電力線４ｆ（図１参照）と接続する。このフロア入口分電盤３ａは、島分電盤５を接続した分電盤とは異なるフロア入口分電盤であって、ホール内監視室（Ｄ）の壁などに配設されたコンセント１７等に、電力線４ｆから分岐させた電力線４ｇによりＡＣ１００Ｖを供給するフロア入口分電盤となっている。
【００５１】
そして、図３に示すように、ホール内監視室（Ｄ）の壁などに既に配設されているコンセント１７にＰＬＣ子機モデム１８の電力線接続（ＡＣ１００Ｖ）ポートを接続するとともに、ＰＬＣ子機モデム１８のＬＡＮ接続ポートとなるイーサネット（登録商標）接続ポートを、ＬＡＮケーブルを介してホール内ＬＡＮ１１に接続する。
【００５２】
なお、図１（図３）に示すコンセント１７は、第２の親機モデム１４と分電盤３ａとを接続する電力線４ｆから分岐した既設の電力線４ｇからホール内監視室（Ｄ）の壁などに設置された既設のコンセントである。また、分電盤３ａからコンセント１７を接続する電力線４ｇは、島分電盤５と独立していれば、他の分電盤（図３参照）を経由して配信してもよい。また、上記した通信線１０ｂ、１０ｃとしてはツイストペア線、ＬＡＮケーブル１０ａとしては１００ＢＡＳＥ−ＴＸ仕様のケーブル線を使用することができる。
【００５３】
上記した第１のＰＬＣ親機モデム１３、第２のＰＬＣ親機モデム１４、第１の分岐アダプタ１５、複数のＰＬＣ中継機１６は、フロア入口分電盤３ａ、３ｂ、３ｃ、・・・を集中して配置している分電盤室（Ｆ）に設置する。これにより、これら機器を繋ぐ配線工事が容易になるとともに、配線の長さを短くすることが可能になるので、伝送ロスも低減させることが可能になる。なお、ＰＬＣ親機モデム１３〜ＰＬＣ中継機１６〜ＰＬＣ子機モデム９を繋ぐ回線（伝送路）と、ＰＬＣ親機モデム１４〜ＰＬＣ子機モデム１８を繋ぐ回線（伝送路）はデータ伝送の制御が独立した回線になっている。
【００５４】
さらに、ホール内ＬＡＮ１１は、ＷＡＮ２０を介して中央監視センタ（Ｅ）のセンタサーバ２１と接続したシステム構成とすることもできる。なお、センタサーバ２１は、例えば、複数の店舗（遊技ホール）を集中して監視するために設けられている。
【００５５】
［ＰＬＣモデムの構成］
続いて、本発明に用いるＰＬＣモデムの構成例を、図４〜図６に基づいて説明する。図４はＰＬＣ親機モデム１３及び１４についてその基本となる回路構成例を示すブロック図、図５−１は同じくＰＬＣ子機モデム９、図５−２は同じくＰＬＣ子機モデム１８の回路構成例を示すブロック図、図６は同じくＰＬＣ中継機１６の回路構成例を示すブロック図である。
【００５６】
（ＰＬＣ親機モデムの構成）
図４に示すように、ＰＬＣ親機モデム１３（１４）は、ＬＡＮ接続ポート側としてイーサネット（登録商標）のＬＡＮケーブル（１００ＢＡＳＥ−ＴＸ）と接続されるイーサＰＨＹ部３１、イーサＭＡＣ部３２、ＰＬＣ・ＭＡＣ部３３、ＰＬＣ・ＴＸ−ＰＨＹ部３４、Ｄ／Ａ変換部３５、ローパスフィルタ（ＬＰＦ）部３６、ドライバ（ＤＶ）部３７、ＡＣ１００Ｖの電力線と接続される回線結合部３８、ゲインスイッチ（ＧＳＷ）部３９、バンドバスフィルタ（ＢＰＦ）部４０、ＡＤ変換部４１、ＰＬＣ・ＲＸ−ＰＨＹ部４２、ＰＬＬ制御部４３、制御部４４、電源部４５、等から構成される。上記した制御部４４は、ＣＰＵ４４ａ、記憶手段となるＲＯＭ４４ｂとＲＡＭ４４ｃから構成される。
【００５７】
なお、上記した制御部４４は、ＲＯＭ４４ｂに記憶されている各種の制御プログラムにより、ＰＬＣ親機モデム１３（１４）の全体の動作の制御とイーサＭＡＣ部３２及びＰＬＣ・ＭＡＣ部３３の動作の制御を行なう。また、電源部４５は、上記した各回路部にＤＣ５Ｖなどの直流電源を供給するためのＡＣ−ＤＣコンバータ等を備えている。
【００５８】
また、上記したイーサＰＨＹ部３１は、送信又は受信データのＰＨＹ層（Physical layer）を管理する回路部である。イーサＭＡＣ部３２は、制御部４４の制御に基づいて送信又は受信データのＭＡＣ層（Media Access Control layer）を管理する回路部、ＰＬＣ・ＭＡＣ部３３は制御部４４の制御に基づいて送信又は受信データについてＰＬＣのＭＡＣ層を管理する回路部である。
【００５９】
また、上記したＰＬＣ・ＴＸ−ＰＨＹ部３４は、ＰＬＣ・ＭＡＣ部３３で処理したデータを送信用のデータとして処理する回路部、Ｄ／Ａ変換部３５は、ＰＬＣ・ＴＸ−ＰＨＹ部３４で処理したデータをＤ／Ａ変換処理を行なう回路部、ＬＰＦ部３６はＤ／Ａ変換部３５で高周波アナログ信号に変換したデータについて、不要帯域を除去するフィルタ回路部である。ＬＰＦ部３６で不要帯域を除去した高周波アナログ信号のデータは、ＤＶ部３７により回線結合部３８に送出され、回線結合部３８により電力線に重畳する処理が行われる。このようにして、ＬＡＮケーブル線（１００ＢＡＳＥ−ＴＸ）からイーサＰＨＹ部３１に入力されたデジタルの信号データは、高周波アナログ信号に変換されて、回線結合部３８からＡＣ１００Ｖを流す電力線に重畳されて送出される。
【００６０】
一方、ＰＬＣ親機モデム１３（１４）において、電力線に重畳された高周波アナログ信号が電力線接続ポートから回線結合部３８に入力されると、回線結合部３８は高周波アナログ信号を分離する処理を行なって、この分離した高周波アナログ信号はＧＳＷ部３９に送出される。ＧＳＷ部３９は、入力された高周波アナログ信号のゲイン調整（増幅処理等）を行なう回路部である。ＧＳＷ部３９でゲイン調整を行なった高周波アナログ信号は、不要帯域の除去を行なうＢＰＦ部４０に送出されて周波数の不要帯域が除去される。ＢＰＦ部４０により不要帯域の除去が行われた高周波アナログ信号は、Ａ／Ｄ変換部４１でデジタル信号に変換する処理が行われる。Ａ／Ｄ変換部４１によりデジタル信号に変換されたデジタル信号は、ＰＬＣ・ＲＸ−ＰＨＹ部４２によりＰＬＣ受信データとしての処理を行なって、ＰＬＣ・ＭＡＣ部３３、イーサＭＡＣ部３２、イーザＰＨＹ部３１を経由してＬＡＮ接続ポートからＬＡＮケールの１００ＢＡＳＥ−ＴＸ（１０ａ）に送出される。
【００６１】
また、図４に示すように回線側ポートとなる回線結合部３８は、通信線接続ポートとＡＣ１００Ｖを接続する電力線接続ポートの２系統の端子を備え、内部スイッチによりこれら端子のいずれかを切り替え、又は混在使用することができるようになっている。
【００６２】
なお、ＰＬＣ親機モデム１３のＲＯＭ４４ｂは、次の処理を行なう各種のプログラムを備えている。
１）第１の同期信号を、所定の時間間隔、例えば、１０ｍｓ〜５０ｍｓの間隔で各ＰＬＣ中継機１６に伝送する処理を行なう。各ＰＬＣ中継機１６はこの同期信号を受信すると、直ちにこの同期信号に同期を確立して、第２の同期信号をＰＬＣ中継機１６の制御配下のＰＬＣ子機モデム９に伝送する処理を行なう。
【００６３】
２）サーバ１２等から送信されたユーザデータ、例えば、フロアに設置している監視カメラの制御情報をＲＡＭ４４ｃに記憶している場合には、ポーリング制御に基づいて、ユーザデータをサーバ１２等から指示されたＰＬＣ子機モデム９にＰＬＣ中継機１６を中継して伝送するための制御を行なう。この伝送処理においては、ＲＯＭ４４ｂに予め記憶しているポーリングテーブルＰＴ（図１５（ｂ）参照）を参照して、指示されたＰＬＣ子機モデム９にＰＬＣ中継機１６を介してユーザデータを伝送する。また、上り方向のユーザデータであって、ＰＬＣ中継機１６から送信されたユーザデータを受信し、この受信したデータをサーバ１２等に送信するための制御を行なう。
【００６４】
３）ポーリング制御、すなわち、第１の同期信号に同期させて、ＰＬＣ中継機１６を中継したＰＬＣ子機モデム９に対するポーリング、すなわち、ＰＬＣ子機モデム９にデータ伝送の要求を行なうときに、データ伝送の衝突を回避するための制御（送信権の制御）を行なう。このポーリング制御は、例えば、ＰＬＣ親機モデム１３が第１の同期信号をＰＬＣ中継機１６に伝送するとき、この同期信号に、送信権を示すアドレス情報を付加したビーコン情報（ＢＣ１）をＰＬＣ中継機１６に送信する処理を行なう。このアドレス情報が伝送路の送信権を示す情報になる。
【００６５】
（ＰＬＣ子機モデムの構成）
図５−１に示すＰＬＣ子機モデム９の回路構成は、図４に示すＰＬＣ親機モデム１３（１４）と基本的には同じであるが、端末装置（遊技機８）とシリアル通信を行なうための端末装置接続ポートとなるＲＳ２３２Ｉ／Ｆ（インタフェース）部４６を備えている。また、回線側となる回線結合部３８は、第２の分岐アダプタ７と通信線１０ｄを介して接続するための通信線接続ポートを備えている。
図５−２に示すＰＬＣ子機モデム１８の回路構成は、図５−１に示すＰＬＣ子機モデム９の回路構成のＲＳ２３２Ｉ／Ｆ（インタフェース）４６をイーサＰＨＹ３１に置き換えた構成としてＬＡＮ接続ポートを設けるとともに、回線側にＡＣ１００Ｖ接続（電力線接続）ポートを設けている。
【００６６】
なお、ＰＬＣ子機モデム９のＲＯＭ４４ｂは、次の処理を行なうプログラムを備えている。すなわち、ＰＬＣ中継機１６から伝送された第２の同期信号（ビーコンＢＣ２信号）の受信と、同じく、ＰＬＣ中継機１６から伝送されたアドレス情報を受信する処理を行なう。また、ユーザデータをＲＡＭ４４ｃに記憶している場合には、第２の同期信号に同期させて、このユーザデータをＰＬＣ中継機１６に送信する処理を行なう。このユーザデータとは、前記したように、遊技機８で発生した大当りに関する情報や異常検出信号に係る情報等、遊技機８から送信された情報を示す。さらに、ＰＬＣ子機モデム９に接続されている遊技機８から緊急通報に関する情報が伝送されると、この情報をイベント情報として直ちにＰＬＣ中継機１６に送信する処理を行なうプログラムを備えている。
【００６７】
（ＰＬＣ中継機の構成）
図６に示すＰＬＣ中継機１６の回路構成は、図４に示すＰＬＣ親機モデム１３（１４）とほぼ同じであるが、回線側ポートとなる回線結合部３８は通信線と接続するための通信線接続ポートとＡＣ１００Ｖ（電力線）接続ポートの２系統の端子を備え、内部スイッチによりこれら端子の何れかを切り替え、又は混在使用ができるようになっている。
【００６８】
なお、ＰＬＣ中継機１６のＲＯＭ４４ｂは、次の処理を行なう各種のプログラムを備えている。
１）ＰＬＣ親機モデム１３から受信した第１の同期信号（ビーコンＢＣ１信号）を基に同期を確立し、制御配下のＰＬＣ子機モデム９に対して新たな第２の同期信号（ビーコンＢＣ２信号）を送信する処理を行なう。
２）ＰＬＣ子機モデム９から受信したユーザデータをＰＬＣ親機モデム１３に送信する処理を行なう。さらに、ＰＬＣ子機モデム９から受信した緊急通報に係る情報をＰＬＣ親機モデム１３に送信する処理を行なう。この緊急通報に係る処理は、後述するマスタフレームの特定中継機帯域を使って行なう。
３）ＰＬＣ親機モデム１３から受信した送信権に係る情報（アドレス情報）を、特定中継機帯域を用いてＰＬＣ子機モデム９に送信する処理を行なう。
【００６９】
［分岐アダプタの構成］
続いて、第１の分岐アダプタ１５、第２の分岐アダプタ７の構成について説明する。従来から、伝送路を分岐する手段として２方向に分岐する高周波トランスが使用されているが、本発明のようにネットワーク上に多数の遊技機８を接続するためには、例えば、伝送路を４分岐以上と多数に分岐する手段を備えた分岐アダプタを用いる必要性が生じる。さらに、このような分岐アダプタには、下記１）〜３）に記載の要求を満たすための機能を備えている必要がある。
【００７０】
１）伝送路を多数に分岐するので双方向の分岐ロスが増大するが、これを最小化する。さらに、双方向のインピーダンス整合をとる。
【００７１】
２）電力線となるＡＣ１００Ｖとも結合可能にするとともに、高周波トランスから構成された分岐アダプタを実現する場合には、一次と対地間、および一次と二次間の絶縁が確保される構成にする。さらに、分岐アダプタの分岐後ポートの全てにＰＬＣモデム（又はＰＬＣ中継機）が接続されている場合と、この分岐後ポートの一部にＰＬＣモデム（又はＰＬＣ中継機）が接続されていない場合とで、終端抵抗が自動的あるいは手動で開放又は接続可能となる構成にして、上記した双方向（下り方向と上り方向）のインピーダンスの整合がとれるような構成にする。
【００７２】
３）最大２４００台という多数の遊技機を接続するネットワークであるため、１本の伝送路を、最大１６分岐を行なうことができるような多分岐可能な構成にする。
【００７３】
本発明に採用している第１及び第２の分岐アダプタ１５、７は、フェライトコアから構成される高周波用小型トランス素子の複数個を、ブリッジ構成の回路を形成することにより製作した分岐アダプタを使用することができる。
【００７４】
図７は、本発明のシステムに採用している分岐アダプタ１５（７）について、４分岐の構成とした回路構成例を示している。なお、図７に示す各高周波トランスは１ｃｍ３程度の小型形状に製造することが可能であり、さらに、これら複数の高周波トランスを基板に配置して回路を形成することにより、一つの分岐アダプタをユニット化することができる。
【００７５】
図７に示す分岐アダプタは、５個のトランス素子（５１−１）〜（５１−５）を、ブリッジ構造からなる回路を構成するように接続して、４分岐の出力端子（分岐後ポート）を備えた構成としたものである。図７に示す分岐アダプタの実施形態は、図１に示す第２の分岐アダプタ７として使用した例を示すものであって、４個のトランス素子（５１−２）〜（５１−５）のそれぞれの一次側となる分岐後ポートにＰＬＣ子機モデム９を接続している。
【００７６】
図７に示す４分岐の分岐アダプタの構成は、次のようになっている。すなわち、分電盤５の一つの分岐端子に、この分岐アダプタを構成するトランス素子（５１−１）の一次側を分岐前ポートとして接続する。そして、このトランス素子（５１−１）の二次側の一つを、トランス素子（５１−２）とトランス素子（５１−４）の二次側の一つを結ぶ導線に連結点５２ａとして接続する。また、トランス素子（５１−１）の他の二次側を、トランス素子（５１−３）とトランス素子（５１−５）の一つの二次側を結ぶ導線に連結点５２ｂとして接続する。
【００７７】
さらに、トランス素子（５１−２）とトランス素子（５１−４）の他の二次側と、トランス素子（５１−３）とトランス素子（５１−５）の他の二次側とをそれぞれ連結点５３ａ、５３ｂとして接続するとともに、連結点５３ａと５３ｂとを５０Ωの抵抗５４を介して接続する。また、分電盤５と接続するトランス素子（５１−１）の一次側にはコンデンサ５５を接続し、トランス素子（５１−２）〜（５１−５）の一次側もコンデンサ５５を介してＰＬＣ子機モデム９を接続する。
【００７８】
図７に示す構成の分岐アダプタにおいて、トランス素子（５１−１）の一次側を分岐前ポートとして、ＡＣ１００Ｖを供給する島分電盤５からの電力線４ｃと接続しても、コンデンサ５５によりＡＣ１００Ｖはカットされて伝送データとなる高周波信号のみが分岐アダプタ内を流れるので、分岐によるロスが低減される。さらに、ブリッジ構成となるようにトランス素子（５１−１）〜（５１−５）を接続しているので、分岐アダプタを構成するトランス素子（５１−２）〜（５１−５）の二次側及びトランス素子（５１−１）の一次側は、いずれも上り方向と下り方向のインピーダンスが同一、すなわち、伝送路の下り及び上り方向の双方においてインピーダンスの整合をとることができる。これにより、伝送路を４つに分岐しても分岐によるロスを最小化させることが可能になる。また、各トランス素子（５１−１）〜（５１−５）の一次側にコンデンサ５５を接続し、これら一次側を外部機器等と接続する構成としているのでトランスの一次二次間絶縁と、分岐アダプタの耐圧を確保することが可能になる。
【００７９】
図８は、図７に示す分岐アダプタにおいて、トランス素子の一次側のいずれか、例えばトランス素子（５１−５）にＰＬＣ子機９を接続する必要がない場合に、トランス素子（５１−５）の一次側に５０Ωの終端抵抗５６を接続して上記したインピーダンスの整合をとるようにした例を示している。
なお、図７に示すブリッジ構造からなる回路を一つのユニットとして、このユニットの４つを、さらにブリッジ構造を形成するように配置することにより、１６分岐の分岐アダプタを製作することができる。この１６分岐の分岐アダプタの構成については後述する。
【００８０】
［フロア入口分電盤とＰＬＣ中継機１６との接続］
続いて、ＰＬＣ中継機１６と、フロア入口等に設置されているフロア入口分電盤３ｂとを電力線４ｅを介して接続する方法を、図９及び図１０に基づいて説明する。
【００８１】
図９に示すように、屋上の分電盤２からフロア入口分電盤３ｂには、一般に１本の中性線Ｌ０と１００Ｖの電位差がある電線Ｌ１、Ｌ２とで構成される単相３線で配線されているので、単相３線には図９に示すようにＡ相とＢ相が形成される。このため、ＰＬＣ親機モデム１３→第１の分岐アダプタ１５→ＰＬＣ中継機１６→フロア入口分電盤３ｂ→島分電盤５→第２の分岐アダプタ７→ＰＬＣ子機モデム９へと、通信線１０ｂ、１０ｃ、１０ｄや電力線４ｅ、４ｂ、４ｃを介した伝送路に多数設置されるＰＬＣ子機モデム９は、配線工事において互いに異なるＡ相とＢ相に接続されたＰＬＣ子機モデム９が混在する可能性が生じる。このように、異なるＡ相とＢ相に接続されたＰＬＣ子機モデム９が存在すると逆相ロスが発生するので、特定のＰＬＣ子機モデム９は通信不能になる現象が発生する場合がある。そこで、本発明においては、ＰＬＣ中継機１６とフロア分電盤３ｂとの接続構造は、図９に示すような構成にしている。
【００８２】
図９は、フロア分電盤３ｂを例えば３２分岐の構成とした例、すなわち、片側のＡ相と他の側のＢ相をそれぞれ１６分岐として、各分岐にはブレーカが配置されるとともに２線で配線された構成を示している。そして、このような３２分岐構成のフロア分電盤３ｂを用いた場合に、フロア分電盤３ｂにおけるＡ相（同相）とＢ相（逆相）のそれぞれの中点、又は中点近くにＰＬＣ中継機１６の電力線接続ポートを接続するようにする。なお、上記したＡ相（同相）とＢ相（逆相）のそれぞれの中点又は中点近くとは、図９において、Ａ相側に配置した１６個の分岐点の中央に位置する分岐点となるブレーカ（ａ８）の位置と、Ｂ相側に配置した１６個の分岐点の中央に位置する分岐点となるブレーカ（ｂ８）の位置、すなわち、Ａ相側に配列された分岐点の中央部、Ｂ相側に配列された分岐点の中央部又中央部近傍に配置された分岐点を示す。
【００８３】
このように、フロア分電盤３ｂのＡ相（同相）とＢ相（逆相）のそれぞれの中点に複数のＰＬＣ中継機１６を接続すると、フロア分電盤３ｂの分岐ロスを最小化することが可能になり、かつ、ＰＬＣ中継機１６と電力線を介して接続されるＰＬＣ子機モデム９は、同相と逆相とが接続されたＰＬＣ子機モデム９が混在すること（逆相接続）がなくなるので、逆相接続に伴うロスをなくすることが可能になる。
一方、図１０は１６分岐のフロア分電盤３ｂを３線で配線する場合の例を示している。図１０に示す実施形態においても、１６分岐の中点となるブレーカ（８）にＰＬＣ中継機１６を接続する。
【００８４】
［第２の分岐アダプタ７と島分電盤５との接続］
続いて、フロアの各遊技機島に設置する第２の分岐アダプタ７と島分電盤５との接続方法を、図１１及び図１２に基づいて説明する。
第２の分岐アダプタ７と島分電盤５との接続は、この島分電盤５から配線されて遊技機島内に設置したコンセントのうち、島分電盤５から最も近い位置に配置されたコンセントに第２の分岐アダプタ７の入力側（分岐前ポート）を接続することが望ましい。図１１は、２線配線により、１６分岐の島分電盤５から最も近い位置に配置されたコンセントに電力を供給する電力線（ブレーカ（１）に接続された電力線）に第２の分岐アダプタ７を接続した例を示している。一方、図１２は、３線配線により、３２分岐（片側１６分岐）の島分電盤５から最も近い位置に配置されたコンセントに電力を供給する電力線（ブレーカ（ａ１）とブレーカ（ｂ１）に接続された電力線）の双方に、第２の分岐アダプタ７をそれぞれ接続した例を示している。
【００８５】
図１１及び図１２に示すように、島分電盤５から配線された島内のコンセント（図２に示すコンセントＣｎ１、Ｃｎ２等）であって、島分電盤５から最も近い位置に配置されたコンセントに第２の分岐アダプタ７の分岐前ポートを接続することにより、伝送路の距離が短くなるので島内の分岐ロスを最小化できるとともに、逆相ロスもなくすることが可能になる。なお、島に分電盤を設置する必要がない場合には、フロアの分電盤３ｂから分岐して島入口等に設置したコンセントに分岐アダプタ７を接続する。
【００８６】
［マスタフレームの構成］
続いて、本発明において、ポーリング制御を実行するために設定されるマスタフレームの構成について説明する。
【００８７】
前記したように、ＰＬＣ親機モデム１３は所定の時間間隔ごとに、例えば１０ｍｓ〜５０ｍｓの範囲内の特定の時間間隔（例えば、１６ｍｓ）で、クロックパルスとなる第１の同期信号Ｔ１、Ｔ２、・・・を各ＰＬＣ中継機１６に伝送する処理を行なう。そして、ＰＬＣ中継機１６は、ＰＬＣ親機モデム１３から受信した第１の同期信号を基に同期を確立しＰＬＣ子機モデム９に対して新たな第２の同期信号となるビーコンＢＣ２信号を伝送する処理を行なう。このとき、この新たな第２の同期信号は、直交周波数分割多重方式（ＯＦＤＭ）により伝送する。このＯＦＤＭ方式においては、例えば周波数は１６分割とし、符号は４分割にする。
【００８８】
図１３は、本実施の形態に係るネットワークシステムで送受信されるマスタフレームの構成の一例を示す図である。図１３に示すように、マスタフレームは同期信号送信帯域と、特定中継機帯域と、緊急通報のために使用する緊急通報帯域（イベントフラグ（ＩＦ）伝送帯域）と、ユーザデータ伝送帯域（ユーザデータ（ＵＤ）の伝送帯域）から構成される。
【００８９】
同期信号送信帯域は、同期信号としてのビーコンＢＣ１信号及びＢＣ２信号の送受信に用いられる第１及び第２の同期信号送信帯域と、特定中継機帯域等から構成される。第１の同期信号となるビーコンＢＣ１信号はＰＬＣ親機モデム１３とＰＬＣ中継機１６間の制御用データの送受信に使用され、第２の同期信号となるビーコンＢＣ２信号はＰＬＣ中継機１６とＰＬＣ子機モデム９間の制御用データの送受信を行なうための基準となる同期信号を送信するために使用する。
【００９０】
なお、このビーコンＢＣ１信号には、第１の同期信号の他に、ＰＬＣ親機モデム１３が設定した送信権に関する情報、すなわち、ポーリング制御を行なうためのアドレス情報等が含まれる。このビーコンＢＣ１信号に含まれるアドレス情報は、ＰＬＣ親機モデム１３とＰＬＣ中継機１６とＰＬＣ子機モデム９間におけるデータ伝送の送信権を設定するための情報となる。また、ビーコンＢＣ２信号は、ＰＬＣ中継機１６がＰＬＣ親機モデム１３から受信した第１の同期信号に基づいて、同期を確立し、ＰＬＣ親機モデム１３と同期を確立した状態で、新たな同期信号（第２の同期信号）をＰＬＣ子機モデム９に送信するために使用する。
【００９１】
また、図１３に示す特定中継機帯域には、ＰＬＣ中継機１６とＰＬＣ子機モデム９間の送信権に関する情報が含まれる。すなわち、ＰＬＣ中継機１６の制御プログラムは、この特定中継機帯域を、ＰＬＣ親機モデム１３から伝送されたアドレス情報をＰＬＣ子機モデム９に送信するための帯域として使用する。
【００９２】
なお、ビーコンＢＣ２信号は、図１３に示すように、符号４分割として、４個の異なるビーコン信号であるビーコン信号ＢＣ２Ａ、ビーコン信号ＢＣ２Ｂ（図示せず）、ビーコン信号ＢＣ２Ｃ（図示せず）及びビーコン信号ＢＣ２Ｄが送受信されるとともに、周波数１６分割として、各ビーコン信号ＢＣ２Ａ、ＢＣ２Ｂ、ＢＣ２Ｃ及びＢＣ２Ｄごとに、１６種類のビーコン信号ＢＣ２Ａ（＃１）〜ＢＣ２Ａ（＃１６）、ＢＣ２Ｂ（＃１）〜ＢＣ２Ｂ（＃１６）、ＢＣ２Ｃ（＃１）〜ＢＣ２Ｃ（＃１６）及びＢＣ２Ｄ（＃１）〜ＢＣ２Ｄ（＃１６）が送受信される。
【００９３】
このように、第２の同期信号となるビーコンＢＣ２信号は、全てのＰＬＣ中継機１６が制御配下のＰＬＣ子機モデム９に同時送信するので、多重しても分離できるように周波数分割と符号分割で多重している。しかし、ＰＬＣ親機モデム１３から送信された送信権情報はある特定のＰＬＣ中継機１６のみが送信可能であるので、特定中継機帯域を設けることにより、全ＰＬＣ中継機１６の信号が衝突しないようにしている。
【００９４】
特定中継機帯域は、ＰＬＣ中継機１６がＰＬＣ親機モデム１３から受信した送信権情報をＰＬＣ子機モデム９に転送する場合、さらに、ＰＬＣ中継機１６がＰＬＣ子機モデム９から受信したイベント情報をＰＬＣ親機モデム１３に転送する場合に使用される。
【００９５】
図１３に示す緊急通報帯域（イベントフラグ（ＩＦ）伝送帯域）は、ＰＬＣ子機モデム９がイベント情報（緊急通報に関する情報）を、ＰＬＣ子機モデム９からＰＬＣ中継機１６に緊急通報するためにＰＬＣ子機モデム９専用の帯域として設けたものである。この緊急通報帯域は、緊急通報タイムスロットになる。
【００９６】
ＰＬＣ中継機１６は、ＰＬＣ子機モデム９が伝送したイベント情報を受信すると、特定中継機帯域を使用してこのイベント情報をＰＬＣ親機モデム１３に伝送する。なお、このイベント情報とは、例えば、遊技機８に大当りが発生したときの大当りに関する情報、あるいは、遊技機８が備えている各種のセンサが何らかの異常（例えば、不正行為に係る情報等）を検出したときに、その異常検出信号に関する情報等であって、そのデータ長は数バイト（ｂｙｔｅ）と短くすることが望ましい。
【００９７】
なお、この不正行為に関する情報の検出は、遊技機８に設置されているセンサ、例えば、遊技機８の扉が開いたことを検出する光電式あるいは接触式の検出センサ、磁石の磁力を検出する磁気センサ、遊技機の振動を検出する３軸加速度センサ等の振動検出センサが検出した検出信号を用いることができる。
【００９８】
図１３に示すデータ伝送の共有帯域は、店舗サーバ１２あるいはＰＣ端末１９から伝送要求されたユーザデータ（ＵＤ）を、下り方向である店舗サーバ１２（ＰＣ端末１９）から、ＰＬＣ子機モデム１８、第２のＰＬＣ親機モデム１４を経由して受信したユーザデータ（ＵＤ）を、ＰＬＣ親機モデム１３がＰＬＣ中継機モデム１６を経由してＰＬＣ子機モデム９に伝送するための帯域となる。このユーザデータ（ＵＤ）としては、例えば、監視カメラを操作させるための制御データである。
【００９９】
また、ＰＬＣ子機モデム９が遊技機８から受信したユーザデータ（ＵＤ）も、マスタフレームのデータ伝送の共有帯域を使用して上り方向となるＰＬＣ中継機１６→ＰＬＣ親機モデム１３→第２の親機モデム１４→ＰＬＣ子機モデム１８→ホール内ＬＡＮ１１に送信される。従って、マスタフレームのデータ伝送の共有帯域は、ＰＬＣ親機モデム１３とＰＬＣ子機モデム９間で、下り方向と上り方向にユーザデータ（ＵＤ）を伝送するときに、共通して使用する共有帯域として設けたものである。これにより、データ伝送の実効速度の向上を計ることが可能になる。なお、ＰＬＣ親機モデム１３と第２のＰＬＣ親機モデム１４のユーザデータ（ＵＤ）を伝送する帯域は、物理的に独立している。
【０１００】
［ポーリングテーブルの構成］
本発明が採用しているポーリング制御方法は、ＰＬＣ親機モデム１３が所定の時間間隔で伝送する第１の同期信号Ｔ１、Ｔ２、Ｔ３、・・・に基づいて、ＰＬＣ中継機１６とＰＬＣ子機モデム９とが同期を確立した状態で実行される。そして、このポーリング制御を実行するためには、ＰＬＣ親機モデム１３がＰＬＣ中継機１６とＰＬＣ子機モデム９をポーリングする順番（順序）を設定した情報を必要とする。ＰＬＣ親機モデム１３は、このポーリングする順番を、予め設定した固有の識別情報（１６ビット／１レコード）として配列したポーリングテーブルを備えている。以下、このポーリングテーブルの構成について説明する。
【０１０１】
図１４は、本発明のＰＬＣ通信を用いたネットワークシステムを構成するＰＬＣ親機モデム１３、複数のＰＬＣ中継機１６及び多数のＰＬＣ子機モデム９を識別するために予め設定した固有の識別情報を示している。図１４に示す固有の識別情報のデータ構成について説明すると次のようになる。
【０１０２】
図１４に示すように、ＰＬＣ親機モデム１３、ＰＬＣ中継機１６及びＰＬＣ子機モデム９の３種を識別する２ビットからなるＰＬＣ機種識別情報（ａｔ１）として、ＰＬＣ親機モデム１３には［００］を、ＰＬＣ中継機１６には［０１］を、ＰＬＣ子機モデム９には［１０］を設定している。
また、ＰＬＣ中継機１６は複数設置しているので、その設置台数に対応して、各ＰＬＣ中継機１６に１６進数表示で（０１）〜（３Ｆ）内のいずれかの識別情報（ａｔ２）を設定している。従って、ＰＬＣ中継機１６は、最大６３台設置可能であることを示し、識別情報（ａｔ２）は６ビットで表している。
【０１０３】
同様に、ＰＬＣ子機モデム９はＰＬＣ中継機１６の制御配下に多数設置しているので、ＰＬＣ中継機１６の制御配下ごとに、各ＰＬＣ子機９には１６進数表示で（００）〜（ＦＦ）内のいずれかの識別情報（ａｔ３）を設定している。従って、ＰＬＣ子機９は、１台のＰＬＣ中継機１６に対して最大２５６台設置可能であることを示し、識別情報（ａｔ３）は８ビットで表している。
【０１０４】
このように、ＰＬＣ親機モデム１３、ＰＬＣ中継機１６及ＰＬＣ子機モデム９に識別情報を設定すると、ＰＬＣ中継機１６の識別情報（ａｔ２）が［０１］の制御配下にあるＰＬＣ子機モデム９において、このＰＬＣ子機モデム９の識別情報（ａｔ３）が［００］の場合には、ＰＬＣ親機モデム１３とＰＬＣ中継機１６とＰＬＣ子機モデム９との繋がりを一つの装置とみなすと、１台のＰＬＣ親機モデム１３は、ＰＬＣ親機モデムの機種識別情報が２ビットの［００］なので、これに６ビットの［００００００１］と８ビットの［００００００００］を並べた１６ビット（２バイト：１ワード）で、固有の識別情報として表すことができる。この２バイトの識別情報が、図１５（ｂ）に示すポーリングテーブルＰＴの順番１の欄に、ＰＬＣ親機モデムの固有の識別情報として示している。
【０１０５】
同様にして、６ビットの識別情報［０００００１］（ＰＬＣ中継機＃１）で表されるＰＬＣ中継機１６の固有の識別情報は、ＰＬＣ中継機の機種識別情報が［０１］なので、これに６ビットの識別情報［０００００１］と８ビットの［００００００００］を並べた１６ビット（２バイト：１ワード）で、固有の識別情報として表すことができる。この２バイトの識別情報が、図１５（ｂ）に示すポーリングテーブルＰＴの順番２の欄に、ＰＬＣ中継機＃１の固有の識別情報として示している。
【０１０６】
同様に、ＰＬＣ中継機＃１の制御配下にあり、８ビットの識別情報［００００００００］で表されるＰＬＣ子機モデム９（ＰＬＣ子機モデム＃０）の固有の識別情報は、ＰＬＣ子機モデム９の機種識別情報が［１０］なので、これに６ビットの識別情報［０００００１］（ＰＬＣ中継機＃１の制御配下にあることを示す）と８ビットの［００００００００］を並べた１６ビット（２バイト：１ワード）で、固有の識別情報として表すことができる。この２バイトの識別情報が、図１５（ｂ）に示すポーリングテーブルＰＴの順番３の欄に、ＰＬＣ子機＃０の固有の識別情報として示している。
【０１０７】
そして、ＰＬＣ親機モデム１３がポーリング制御を実行するために参照するポーリングテーブルＰＴは、上記したそれぞれのＰＬＣ親機モデム１３．ＰＬＣ中継機１６、ＰＬＣ子機モデム９の各固有の２バイトからなる識別情報を、ポーリングを実行する順番にデータテーブルとして配列して、ＰＬＣ親機モデム１３のＲＯＭ４４ｂに予め登録しておいたものである。図１５（ｂ）に、このポーリングテーブルＰＴのデータ構成の一例を示している。この２バイト（１６ビット）の固有の識別情報が、ポーリング制御を実行するためのアドレス情報を示すことになる。
【０１０８】
このように、ＰＬＣ通信を用いた１台のＰＬＣ親機モデム１３と、複数のＰＬＣ中継機１６と、多数のＰＬＣ子機モデム９とをそれぞれ識別する固有の情報は、２ビットの機種識別情報を含む１６ビット（２バイト）の情報から構成しているので、例えば、ネットワーク上に最大２４００台のＰＬＣ子機モデム９を設置しても、一つの固有の識別情報を１６ビットという少ない情報量で表すことができる。これにより、ＰＬＣ親機モデム１３がポーリング制御を行なうために参照するポーリングテーブルＰＴのデータ容量を少なくすることができる。
【０１０９】
上記したように、図１５（ｂ）に示すポーリングテーブルＰＴは、２バイトで表現される固有の識別情報（アドレス情報）を、ＰＬＣ親機モデム１３がポーリング制御を実施するための順番を設定したテータテーブルになる。
図１５（ｂ）は、例えば、図１５（ａ）に示すように、１台のＰＬＣ親機モデム１３と、２台のＰＬＣ中継機１６を備え、各ＰＬＣ中継機１６の制御配下に２台のＰＬＣ子機９（計４台のＰＬＣ子機モデム）が接続されたネットワーク構成の場合に、ＰＬＣ親機モデム１３の制御プログラムがポーリング制御を実施するために参照するポーリングテーブルＰＴの一例を示している。
【０１１０】
ＰＬＣ親機モデム１３が図１５（ｂ）に示すポーリングテーブルＰＴに基づいて、ポーリング制御を行なう手順例を説明すると次のようになる。
【０１１１】
１）最初に、図１５（ｂ）に示す順番１で示される２バイトのアドレス情報（ＰＬＣ親機モデム１３の固有の識別情報）を、ビーコンＢＣ１信号とともにＰＬＣ中継機１６に伝送する。そして、ＰＬＣ中継機１６は、このアドレス情報を受信すると、ビーコンＢＣ２信号を制御配下のＰＬＣ子機モデム９に伝送する。
【０１１２】
２）続いて、ＰＬＣ親機モデム１３は、図１５（ｂ）に示す順番２で示される２バイトのアドレス情報（ＰＬＣ中継機＃１の固有の識別情報）を、ビーコンＢＣ１信号とともにＰＬＣ中継機１６に伝送する。そして、ＰＬＣ中継機１６は、このアドレス情報を受信すると、ビーコンＢＣ２信号を制御配下のＰＬＣ子機モデム９に伝送する。
【０１１３】
３）続いて、ＰＬＣ親機モデム１３は、図１５（ｂ）に示す順番３で示される２バイトのアドレス情報（ＰＬＣ子機機＃０の固有の識別情報）を、ビーコンＢＣ１信号とともにＰＬＣ中継機１６に伝送する。そして、ＰＬＣ中継機１６は、このアドレス情報を受信すると、ビーコンＢＣ２信号をＰＬＣ子機モデムに伝送する。このときＰＬＣ中継機１６は、受信したアドレス情報の上位８ビットが自局の固有の識別情報の上位８ビットと該当するか否かを判定し、該当した場合には、特定中継機帯域を用いてＰＬＣ親機モデム１３から受信した１６ビットのアドレス情報を制御配下のＰＬＣ子機モデム９に伝送する。そして、このＰＬＣ中継機１６の制御配下のＰＬＣ子機モデム９は、アドレス情報を受信すると、制御プログラムによりこの受信したアドレス情報が自分の固有の識別情報１６ビットに一致するか否かを判定する。この判定処理で一致した場合には、ＰＬＣ子機モデム９は自局に送信権が付与されたと判定して遊技機８（端末装置）から受信してＲＡＭ４４ｃに記憶していたユーザデータを、ユーザデータの伝送帯域を用いてＰＬＣ中継機１６に送信する処理を行なう。
【０１１４】
４）続いて、ＰＬＣ親機モデム１３は、図１５（ｂ）に示す順番４で示される２バイトのアドレス情報（ＰＬＣ中継機＃１の固有の識別情報）を、ビーコンＢＣ１信号とともにＰＬＣ中継機１６に伝送する。そして、ＰＬＣ中継機１６は、このアドレス情報を受信すると、ビーコンＢＣ２信号をＰＬＣ子機モデムに伝送する。このときＰＬＣ中継機１６は、受信したアドレス情報の１６ビットが自局の固有の識別情報の１６ビットに一致するか否かを判定し、一致した場合には、送信権が付与されたと判定して、ＰＬＣ子機モデム９から受信したユーザデータを、ユーザデータの伝送帯域を用いてＰＬＣ親機１３に送信する処理を行なう。ＰＬＣ親機１３はこのユーザデータを受信すると、このユーザデータを直ちに第２のＰＬＣ親機モデム１４に伝送する処理を行なう。
【０１１５】
５）以下、上記の手順でＰＬＣ親機モデム１３は、図１５（ｂ）に示すポーリングテーブルＰＴにより設定されている順番に従ってポーリング制御を繰り返して行なう。なお、図１５（ｂ）に示すポーリングテーブルＰＴにおいて、１６ビットで表される識別情報のうち２ビットの機種識別情報（ａｔ１）は、最上位に位置させた例を示しているが、６ビットのＰＬＣ中継機の機種識別情報（ａｔ２）と８ビットのＰＬＣ子機モデムの機種識別情報（ａｔ３）との間に配置してもよい。
【０１１６】
［ポーリング制御の手順］
続いて、本発明のＰＬＣ通信を用いたネットワークシステムにおいて、ポーリング制御を実行する手順を、図１６に示すタイムチャートに基づいて説明する。図１６は、ＰＬＣ親機モデム１３が所定の時間間隔で送出する第１の同期信号Ｔ１、Ｔ２、Ｔ３、・・・に基づいて同期を確立して、ＰＬＣ親機モデム１３、複数のＰＬＣ中継機１６のうちのＰＬＣ中継機１６ａ、このＰＬＣ中継機１６ａの制御配下にあるＰＬＣ子機モデム９ａ、９ｂが、図１３に示すマスタフレームに従ってデータ伝送を行なうときの処理の流れをタイムチャートとして示した図である。
【０１１７】
ＰＬＣ親機モデム１３は、図１６に示す第１の同期信号Ｔ１、Ｔ２、Ｔ３、・・・に基づいて、予め設定されたポーリングテーブルＰＴ（図１５（ｂ）参照）を参照しながら、ＰＬＣ中継機１６を経由して全てのＰＬＣ子機９に対して、順次、ユーザデータ伝送のポーリング制御を行なう。このポーリング制御方法を実施する処理手順は、例えば、下記の（手順１）〜（手順６）に記載の手順で実施することができる。なお、このポーリング制御は、ＰＬＣ親機モデム１３、ＰＬＣ中継機１６、ＰＬＣ中継機１６の各ＲＯＭ４４ｂに記憶されている制御プログラムの制御に従って実行される。
【０１１８】
（手順１）
ＰＬＣ親機モデム１３は、第１の同期信号となる同期信号Ｔ１をビーコンＢＣ１信号として、各ＰＬＣ中継機モデム１６に伝送する処理を行なう。このとき、ＰＬＣ親機モデム１３は前記したポーリングテーブルＰＴ（図１５（ｂ））を参照して求めたアドレス情報を、ビーコンＢＣ１信号に含めてＰＬＣ中継機１６に送信する処理を行なう（図１６に示す（Ｐ１））。
【０１１９】
図１６に示すタイムチャート例は、ＰＬＣ親機モデム１３はＰＬＣ中継機１６ａを中継してＰＬＣ子機モデム９ａをポーリングする例を示しているので、ＰＬＣ親機モデム１３は同期信号Ｔ１に同期させて、この同期信号Ｔ１と上記した処理で求めたアドレス（送信権）情報とをビーコンＢＣ１信号として、マスタフレームのビーコンＢＣ１信号を送出する帯域（タイムスロット）を利用して全てのＰＬＣ中継機モデム１６に伝送する処理を行なう。なお、図１６に示す例では、遊技機８へのユーザデータ（ＵＤ）の伝送要求、すなわち、遊技機８を接続しているＰＬＣ子機モデム９ａにユーザデータ（ＵＤ）の伝送要求が発生した場合を示している。
【０１２０】
（手順２）
ＰＬＣ中継機モデム１６ａは、ＰＬＣ親機モデム１３からビーコンＢＣ１信号を受信すると、図１６の（Ｐ２）に示すように、その第１の同期信号Ｔ１を基に同期を確立し、制御配下のＰＬＣ子機モデム９ａ、９ｂに対して第２の同期信号（ビーコンＢＣ２信号）を送信する。このビーコンＢＣ２信号は、前記したように、直交周波数分割多重方式（ＯＦＤＭ）により符号分割多重及び周波数分割多重されて、ＰＬＣ子機モデム９ａ、９ｂに伝送する。さらに、マスタフレームの特定中継機帯域（図１６では、「特定中継」と表示）を利用して、ＰＬＣ親機モデム１３から受信した送信権（アドレス）情報をＰＬＣ子機モデム９ａに送信する。これにより、ＰＬＣ親機モデム１３と、ＰＬＣ中継機１６ａと、ＰＬＣ子機モデム９ａ、９ｂは、同一の時間軸で同一の送信権情報を共有することができるようになる。また、ＰＬＣ中継機モデム１６ａは、ＰＬＣ親機モデム１３からユーザデータ（ＵＤ）が伝送された場合にはこのユーザデータ（ＵＤ）の受信処理を行なう。
【０１２１】
上記した（手順２）の処理において、ビーコンＢＣ１帯域を利用してＰＬＣ親機モデム１３から受信した送信権情報を、特定中継機１６ａが特定中継機帯域を利用してＰＬＣ子機モデム９ａに送信する処理は、次の処理を行なうようにしてもよい。
すなわち、ＰＬＣ中継機モデム１６ａの制御プログラムは、親機モデムＰＬＣ１３から伝送された送信権情報（前記した１６ビットからなるＰＬＣ子機モデム９ａの固有の識別情報）が自分及び制御配下のＰＬＣ子機モデムに該当するか否かを判定することが可能になるので、該当すると判定した場合には、特定中継機帯域を使用して、受信したアドレス情報をそのまま、該当するＰＬＣ子機モデムへ伝送する。一方、該当しない場合には特定中継機帯域を使用せず、何も処理を行なわないようにする。
【０１２２】
（手順３）
ＰＬＣ中継機モデム１６は、次の同期信号Ｔ２の受信に基づいて同期を確立し、新たな同期信号となるビーコンＢＣ２信号をＰＬＣ子機モデム９ａ、９ｂに伝送する（Ｐ３）。ＰＬＣ子機モデム９ａ、９ｂは、このビーコンＢＣ２信号により同期を確立することになる。さらに、ＰＬＣ中継機モデム１６ａは、特定中継機帯域を利用してアドレス情報を制御配下のＰＬＣ子機モデム９ａに伝送する。
【０１２３】
（手順４）
図１６に示す（Ｐ４）において、ＰＬＣ子機モデム９ａは、ＰＬＣ中継機モデム１６ａから特定中継機帯域に含まれているアドレス情報を受信すると、受信したアドレス情報がＲＯＭ４４ｂ等に記憶している自分のアドレス情報に一致したか否かを判定する。そして、一致していると判定した場合には、自分に送信権が与えられたと判定し、遊技機８から何らかのユーザデータ（ＵＤ）を受信してＲＡＭ４４ｃに記憶（取得）しているか否かを判定する。この判定結果、遊技機８からユーザデータ（ＵＤ）を受信していた場合には、このユーザデータ（ＵＤ）を次の同期信号Ｔ３により確立したビーコンＢＣ２信号に基づいて（Ｐ５）、マスタフレームのユーザデータ（ＵＤ）の伝送帯域を利用してＰＬＣ中継機１６ａに送信する処理を行なう。なお、このユーザデータ（ＵＤ）には、ＲＯＭ４４ｂに予め記憶しているＰＬＣ子機モデム９ａのＩＰアドレスと、このユーザデータ（ＵＤ）を伝送する伝送先となる上位管理システムの店舗サーバ１２、又はＰＬＣ端末１９のＩＰアドレスを含めた、例えば、イーサネット（登録商標）ＬＡＮのデータ転送のデータフォーマットにする処理を行なう。
【０１２４】
（手順５）
ＰＬＣ中継機モデム１６は、上記（手順４）に基づいてＰＬＣ子機モデム９ａから上り方向のユーザデータ（ＵＤ）を受信すると（Ｐ６）、ＰＬＣ親機モデム１３の指示に従って受信したユーザデータ（ＵＤ）を次の同期信号Ｔ４に同期させて、ＰＬＣ親機モデム１３に伝送する処理を行なう（Ｐ７）。
【０１２５】
（手順６）
ＰＬＣ親機モデム１３は、上記（手順５）の処理により、上りのユーザデータ（ＵＤ）を受信すると、受信したユーザデータ（ＵＤ）を、直ちに第２のＰＬＣ親機モデム１４に、ＰＬＣ親機１３とは異なるマスタフレームのタイミングで伝送する処理を行なう（Ｐ８）。そして、第２のＰＬＣ親機モデム１４は、ＰＬＣ親機モデム１３からユーザデータ（ＵＤ）を受信すると、第２のＰＬＣ親機モデム１４がＰＬＣ子機モデム１８に伝送する同期信号（第２のＰＬＣ親機モデム１４のビーコンＢＣ１信号）に同期させて、受信したユーザデータ（ＵＤ）をＰＬＣ子機モデム１８に伝送する処理を行なう。ＰＬＣ子機モデム１８は、受信した上りのユーザデータ（ＵＤ）を直ちにホール内ＬＡＮ１１に送信する処理を行なう。
【０１２６】
この（手順６）の処理により、ホール内監視室（Ｄ）内に設置されている店舗サーバ１２又はＰＣ端末１９は、遊技機８からのユーザデータ（ＵＤ）を取得することが可能になる。
なお、ＰＬＣ親機モデム１３は、次の同期信号Ｔ５に基づいてポーリングテーブルＰＴを参照して、次のポーリング順番に相当するＰＬＣ子機モデム、例えば、ＰＬＣ子機モデム９ｂに対するポーリング制御を実行する。このようにして、ＰＬＣ親機モデム１３は、ポーリングテーブルＰＴに登録しているポーリング順番に従って、ＰＬＣ子機モデム９ａ、９ｂに対するポーリング制御を繰り返して実行する処理を行なう。
【０１２７】
上記した本発明のＰＬＣ通信を用いたネットワークシステムにおいて、ＰＬＣ中継機１６は、１台のＰＬＣ親機モデム１３から伝送された同期信号に基づいて同期を確立し、このＰＬＣ親機モデム１３と同期を確立した状態で第２の同期信号を制御配下のＰＬＣ子機モデム９に送信し、ＰＬＣ子機モデム９はこの第２の同期信号を受信することにより、ＰＬＣ中継機１６と同期を確立した制御状態で設定したマスタフレームに基づいて、ポーリング制御による通信を行なうようにしている。すなわち、ＰＬＣ中継機１６とＰＬＣ子機モデム９は、時間軸上において、ＰＬＣ親機モデム１３に同期確立した状態で、ポーリング制御を行なっているので、ＰＬＣ通信を用いたネットワークシステムに２０００台以上（最大２４００台程度）の端末装置を接続していても、安定したポーリング制御を実行することができるようになる。
【０１２８】
［緊急通報の手順］
続いて、本発明が備えている緊急通報の手段について説明する。この緊急通報手段とは、前記したポーリング制御、すなわち、ＰＬＣ親機モデム１３がポーリングテーブルＰＴを参照して所定の順序でＰＬＣ中継機１６を介してＰＬＣ子機モデム９をポーリング制御しているときに、ＰＬＣ子機モデム９が端末装置（遊技機８）から緊急通報に関する情報を受信したときに、送信権が無くてもＰＬＣ子機モデム９の制御プログラムにより、この緊急通報に関する情報を、直ちにネットワーク上で上位に位置するＰＬＣ中継機モデム１６を中継してＰＬＣ親機モデム１３に緊急通報する手段を示す。さらに、ＰＬＣ親機モデム１３は、この受信した緊急通報に関する情報を、直ちに店舗サーバ１２等を備えた上位管理システムに伝送する処理を行なうことを示す。
【０１２９】
なお、この緊急通報に関する情報（イベントフラグ（ＩＦ）情報）とは、遊技機８に大当りが発生したときの情報、あるいは、何らかの異常信号に係る情報、例えば、遊技機８に不正行為が実施されたことを示す検出信号が遊技機８からＰＬＣ子機モデム９に入力された情報等、予め設定した情報であって上位管理システムに緊急通報する必要性のある情報を示す。
【０１３０】
図１７は、ＰＬＣ子機モデム９ａに、第１の同期信号Ｔ１０に基づくビーコンＢＣ２信号（第２の同期信号）を受信した後に、遊技機８から緊急通報に関する情報（Ｋ）が入力されたことを示している。以下、緊急通報手段について、その処理手順の一例を図１７に基づいて説明すると、その手順は下記（手順１０）〜（手順１５）に記載のようになる。
【０１３１】
なお、ＰＬＣ子機モデム９ａの制御プログラムは、遊技機８から情報種別コードとともに大当りに関する情報、異常信号に関する情報、あるいはその他の情報が転送されると、受信した情報を一旦ＲＡＭ４４ｃに記憶し、店舗サーバ１２又はＰＣ端末１９に緊急通報すべき情報であるか否かを判定する。この緊急通報すべき情報（Ｋ）であるか否かの判定は、遊技機８から送信される情報種別コードを判定することにより可能になる。この緊急通報すべき情報種別コードとしては、例えば、大当り発生を示す大当り識別コード、遊技機８が備えている不正行為を検出するための各種のセンサが検出した検出信号を判別する異常識別コード、等が含まれる。
【０１３２】
（手順１０）
ＰＬＣ子機モデム９ａの制御プログラムは、遊技機８から受信した情報が緊急通報すべき情報（Ｋ）であると判定すると、図１３に示すイベントフラグ（ＩＦ）情報に関するデータを作成する処理を行なう（図１７に示す（Ｋ１））。このうち、イベントフラグ（ＩＦ）情報としては、上記した大当り識別コード、又は異常識別コード等の情報種別コードと、この情報の送信元となるＰＬＣ子機モデム９ａのＩＰアドレスと、この情報の最終の送信先となる店舗サーバ１２又はＰＣ端末１９のＩＰアドレスが含まれる。
【０１３３】
（手順１１）
ＰＬＣ子機モデム９ａは、上記（手順１０）の処理で作成したイベントフラグ（ＩＦ）情報に関するデータを図１７に示す（Ｋ１）において、直ちに、マスタフレームの緊急通報帯域（イベントフラグ（ＩＦ）帯域）を利用してＰＬＣ中継機１６ａに送信する処理を行なう。なお、イベントフラグ（ＩＦ）情報は、上記した情報種別コードとＩＰアドレス等のみとしてデータ容量を極力少なくすることが望ましい。
このとき、遊技機８から緊急通報に係る情報（Ｋ）を受信したタイミングによっては、ＰＬＣ子機モデム９ａは、次の同期信号Ｔ１１（図示せず）に基づくＢＣ２信号に同期してこのイベントフラグ（ＩＦ）情報を、緊急通報帯域を利用してＰＬＣ中継機１６ａに伝送する。
【０１３４】
（手順１２）
ＰＬＣ中継機モデム１６ａは、ＰＬＣ子機モデム９ａから上記したイベントフラグ（ＩＦ）情報を受信すると（Ｋ２）、次の自局（ＰＬＣ中継機モデム１６ａ）への特定中継機帯域に対するタイミングに同期させて、ＰＬＣ子機モデム９ａから受信したイベントフラグ（ＩＦ）情報を、図１３に示すマスタフレームの特定中継機帯域を使用してＰＬＣ親機モデム１３に伝送する（Ｋ３）。この伝送処理においては、ＰＬＣ中継機１６ａがＰＬＣ親機モデム１３に伝送した情報は、同時にＰＬＣ中継機１６の制御配下のＰＬＣ子機モデム９ａにも伝送する処理を行なう。これにより、イベントフラグ（ＩＦ）情報をＰＬＣ中継機モデム１６ａに伝送したＰＬＣ子機モデム９ａの制御プログラムは、ＰＬＣ中継機１６ａがこのイベントフラグ（ＩＦ）情報をＰＬＣ親機モデム１３に伝送したこと、すなわち、ＰＬＣ中継機１６ａのＡＣＫ（Acknowledgement）を受信したと判定することができる。
【０１３５】
(手順１３）
ＰＬＣ親機モデム１３は、ＰＬＣ中継機１６ａから上記した特定中継機帯域に基づいてイベントフラグ（ＩＦ）情報を受信すると（Ｋ４）、受信したイベントフラグ（ＩＦ）情報を直ちに第２のＰＬＣ親機モデム１４に伝送する。第２のＰＬＣ親機モデム１４はこの受信したイベントフラグ（ＩＦ）情報を、第２のＰＬＣ親機モデム１４のＢＣ１信号に同期させてＰＬＣ子機モデム１８に伝送する。そして、ＰＬＣ子機モデム１８はこの受信したイベントフラグ（ＩＦ）情報を、直ちに上位管理システムの店舗サーバ１２又はＰＣ端末１９に送信する処理を行なう。
【０１３６】
（手順１４）
上位管理システムの店舗サーバ１２又はＰＣ端末１９は、イベントフラグ（ＩＦ）に関するデータを受信すると、制御プログラムによりこの受信したデータを解析して詳細なユーザデータ（詳細ユーザデータ（ＵＤ））の転送要求を行なう必要があるか否かを判定する。この転送要求の判定処理は、イベントフラグ（ＩＦ）に関するデータは、イベントフラグ（ＩＦ）情報を転送したＰＬＣ子機モデム９ａのＩＰアドレス情報と、大当りに関する情報、あるいは不正行為に係る検出信号等が含まれているので、その情報の種別等を判定することにより可能になる。そして、詳細ユーザデータ（ＵＤ）の転送要求が必要と判定された場合には、この転送要求のコマンドとＰＬＣ子機モデム９のＩＰアドレス情報を、ＰＬＣ子機モデム１８、第２のＰＬＣ親機モデム１４を経由してＰＬＣ親機モデム１３に伝送する処理を行なう。
【０１３７】
（手順１５）
ＰＬＣ親機モデム１３は、上記（手順１４）により、詳細ユーザデータ（ＵＤ）の転送要求を受信すると、図１７の（Ｋ５）に示すように、ポーリング制御の順序を変更して、このイベントフラグ（ＩＦ）情報を転送したＰＬＣ子機モデム９ａに対するポーリング制御を実施して、イベントフラグ（ＩＦ）情報に係るユーザデータ（詳細ユーザデータ（ＵＤ））の転送要求を行なう。この処理において、ポーリング制御の順序を変更するために、ＰＬＣ親機モデム１３は、ＰＬＣ子機モデム９の固有の識別情報とＩＰアドレスとを関連付けしたデータテーブルをＲＯＭ４４ｂに予め記憶させておく。
【０１３８】
これにより、店舗サーバ１２又はＰＣ端末１９は、緊急通報に関する詳細ユーザデータ（ＵＤ）の要求を行なうと、ＰＬＣ親機モデム１３は、通常のポーリング制御の順番を変更して、この緊急通報に関するユーザデータ（ＵＤ）を取得することができる。また、緊急通報に関するユーザデータ（ＵＤ）を取得する処理は、例えば、店舗サーバ１２の指示に基づいて所定の時間ほどポーリング対象となるＰＬＣ子機モデム９ａを集中してポーリング制御を行なうことも可能になる。
【０１３９】
なお、前記したように、店舗サーバ１２又はＰＣ端末１９は、受信した緊急通報（イベントフラグ（ＩＦ）情報）を解析する処理を行なった結果、何らかの不正行為の発生と判定されると、ホール内監視室（Ｄ）の監視者は、監視カメラ等を作動させて異常発生状況を詳細に把握するための対策を行なうようにする。
【０１４０】
また、この異常発生状況を詳細に把握するための手段として、上記したＰＬＣ通信を用いたネットワークシステムを利用して把握することも可能になる。
【０１４１】
例えば、遊技機島（Ｃ１）に監視カメラを１台または複数台設置し、この監視カメラを遊技機８を接続していないＰＬＣ子機モデム９に接続する。そして、ホール内監視室（Ｄ）の監視者は上記した緊急通報に係る情報が伝送されると、ＰＣ端末１９等を操作して該当する監視カメラを駆動させる信号、例えば、撮像方向やズーム機能に関する制御情報を上記したＰＬＣ通信を用いたネットワークシステムを利用してＰＬＣ子機モデム９に伝送する。これにより、監視カメラは異常が発生した遊技機８又はその周辺の状況を詳細に撮像することが可能になる。また、監視カメラが撮像した画像データを、図１３に示すユーザデータ（ＵＤ）の伝送帯域を利用してホール内監視室（Ｄ）のＰＣ端末１９に伝送し、受信した画像データをリアルタイムに表示と記憶する処理を行なうことにより、異常発生状況の詳細を把握することが可能になる。
【０１４２】
上記したように、ＰＬＣ子機モデム９が大当り、あるいは不正情報等の緊急通報を行なうために、図１３に示すデータ伝送のマスタフレームにイベントフラグ（ＩＦ）伝送帯域を設けている。しかし、同時に複数の遊技機８に大当り、あるいは不正行為による異常が発生する可能性が生じる。また、各ＰＬＣ中継機モデム１６には複数のＰＬＣ子機モデム９が接続されている。従って、複数の遊技機８において、大当り、あるいは異常が同時に発生すると、上記したＰＬＣ子機モデム９からＰＬＣ中継機モデム１６に伝送する緊急通報は伝送の衝突が発生することがあり得る。この伝送の衝突を回避するために、本発明のシステムは次のような衝突の回避方法を採用することができる。
【０１４３】
すなわち、前記したデータ伝送のマスタフレームにおいて緊急通報を行なうための緊急通報帯域（イベントフラグ（ＩＦ）伝送帯域）は時間軸で分割した構成、例えば、時間軸を５個に分割した帯域から構成し、これらの帯域を使用して、例えば最大５つの緊急通報に対して同時に送信可能とする。
【０１４４】
上記した緊急通報に対する伝送の衝突を回避するために、ＰＬＣ子機モデム９の制御プログラムは、コンテンション・ウインドウサイズ（ＣＷ：Contention Window）の初期値として設定した値、例えば「５」に基づいて、「１」〜「５」の５個の整数値の一つを乱数発生手段による抽選で選択する処理を行なう。そして、選択された整数値に対応付けして予め設定したイベントフラグ（ＩＦ）伝送の時間帯域を用いて、イベントフラグ（ＩＦ）のデータをＰＬＣ中継機モデム１６に緊急通報として伝送する処理を行なう。
【０１４５】
さらに、上記した乱数発生手段を採用した緊急通報を行なっても、ＰＬＣ子機モデム９どうしで伝送の衝突が発生する可能性がある。このＰＬＣ子機モデム９どうしの衝突を回避するために、衝突が発生した場合にはイベントフラグ（ＩＦ）情報の伝送を所定の回数、ＰＬＣ中継機モデム１６に再送（再伝送）する処理を行なうようにする。
【０１４６】
また、再送を行なう場合には、ＣＷサイズを「５」から２倍の「１０」に、さらに再送を行なう場合には、２倍の「２０」に設定する方法を採用して、伝送の衝突を回避するようにする。このように、ＣＷサイズを２倍に設定すると、図１３に示すマスタフレームの時間軸を２つのマスタフレーム時間軸を使用した１０個の緊急通報が送信可能になる。このように、ＣＷサイズを再送するごとに倍々に設定すると、再送の時間間隔が長くなるので伝送の衝突を回避することが可能になる。
【０１４７】
なお、上記したＰＬＣ子機モデム９どうしで緊急通報の衝突が発生したか否かの判定処理は、ＰＬＣ子機モデム９の制御プログラムにより、前記したように、ＰＬＣ子機モデム９は、ＰＬＣ中継機１６がイベントフラグ（ＩＦ）に係る情報をＰＬＣ親機モデム１３に送信すると、この情報を同時に受信することができる。従って、ＰＬＣ子機モデム９の制御プログラムは、これをＡＣＫとして、ＰＬＣ子機モデム９どうしで緊急通報の衝突が発生したか否か判定することが可能になる。
【０１４８】
ＰＬＣ子機モデム９からの緊急通報について、上記した手段を用いることにより、ＰＬＣネットワークに最大２４００台の遊技機８を接続しても、大当り、あるいは不正情報（緊急通報）をＰＬＣ子機モデム９から店舗サーバ１２に２〜３秒以内に伝送することが可能になる。
【０１４９】
［１６分岐の分岐アダプタの構成］
続いて、１６分岐の分岐アダプタの回路構成を図１８に基づいて説明する。この１６分岐の分岐アダプタは、図７に示すブリッジ構成をなす４つの高周波トランス素子（５１−２）〜（５１−５）を一つのブリッジ構成パターンとし、このブリッジ構成パターンの４つが、さらにブリッジ構成をなすように配置した回路構成とし、１個の高周波トランス素子（５１−１）を１６分岐のアダプタの入力側（分岐前ポート）として配置した回路構成にしている。そして、図１８に示すように、この１６分岐の分岐アダプタは、４つのブリッジ構成パターンＰ１、Ｐ２、Ｐ３、Ｐ４を構成する１６個の各高周波トランス素子（５１−２）〜（５１−１７）の一次側を、外部機器と接続するための１６個の分岐端子（分岐後ポート）としたものである。
【０１５０】
図１８に示す１６分岐の分岐アダプタについて、その回路構成の詳細を説明すると次のようになる。
１）ブリッジ構成パターンＰ１を構成するトランス素子（５１−２）と（５１−４）の二次側の一方どうしを導線で接続する。同様に、ブリッジ構成パターンＰ２を構成するトランス素子（５１−１０）と（５１−１２）の二次側の一方どうしを接続するとともに、これら接続した導線の連結点（５２ａ−１）と（５２ａ−２）を導線５６ａにより接続する。
【０１５１】
２）ブリッジ構成パターンＰ３とＰ４についても、上記１）と同様に、連結点５２ｂ−３と５２ｂ−４を設けて、これら連結点（５２ｂ−３）と（５２ｂ−４）を介して接続する。
【０１５２】
３）ブリッジ構成パターンＰ１を構成するトランス素子（５１−３）と（５１−５）の二次側の一方どうしを導線で接続する。同様に、ブリッジ構成パターンＰ３を構成するトランス素子（５１−６）と（５１−８）の二次側の一方どうしを接続するとともに、これら接続した導線の連結点（５２ｂ−１）と（５２ａ−３）を導線５６ｃにより接続する。
【０１５３】
４）ブリッジ構成パターンＰ２を構成するトランス素子（５１−１１）と（５１−１３）の二次側の一方どうしを導線で接続する。同様に、ブリッジ構成パターンＰ４を構成するトランス素子（５１−１４）と（５１−１６）の二次側の一方どうしを接続するとともに、これら接続した導線の連結点（５２ｂ−２）と（５２ａ−４）を導線５６ｄにより接続する。
【０１５４】
５）導線５６ｃと５６ｄとを５０Ωの抵抗５４を介して接続する。
６）分岐アダプタの入力側として配置したトランス素子（５１−１）の二次側の一方を導線５６ａに、同じく二次側の他方を導線５６ｂに接続する。
７）４つのブリッジ構成パターンＰ１とＰ２とＰ３とＰ４を構成する各高周波トランス素子（５１−２）〜（５１−１７）の一次側にはコンデンサ５５を接続する。そして、他の回路構成は図７に示す構成と同じにする。
【０１５５】
上記した回路構成からなる１６分岐の分岐アダプタにおいて、４つのブリッジ構成パターンＰ１、Ｐ２、Ｐ３、Ｐ４を構成する高周波トランス素子（５１−２）〜（５１−１７）の１６個の一次側（分岐後ポート）に、外部機器、例えば、図1に示す例ではＰＬＣ子機モデム９、あるいはＰＬＣ中継機１６を接続する。また、分岐アダプタの入力側となるトランス素子（５１−１）の一次側（分岐前ポート）には、島分電盤５あるいはＰＬＣ親機モデム１３が接続される。
【０１５６】
上記した１６分岐の分岐アダプタにおいても、伝送路を１６分岐しても前記した４分岐の分岐アダプタと同様に、分岐によるロスを最小化させることが可能になる。また、各トランス素子（５１−１）〜（５１−１７）の一次側にコンデンサ５５を接続し、これら一次側を外部機器等と接続する構成としているのでトランスの一次二次間絶縁と、分岐アダプタの耐圧を確保することが可能になる。
【０１５７】
上記した本発明は、ＰＬＣ通信を用いた遊技ホール用のネットワークシステムを例にして説明したが、本発明は、端末装置として多数の生産設備やパーソナルコンピュータが配置されている製造現場の生産ライン、多数の測定機器やパーソナルコンピュータが配置されている病院、学校、あるいは研究所のネットワークシステム、端末装置として多数の監視カメラを備えた監視システム、等にも適用することができる。この場合には、例えば、ＰＬＣ親機モデムは、上位管理システムのサーバから転送されたユーザデータを、ポーリング制御しながらデータ伝送の下り方向となる端末装置にも伝送するようにする。
【図面の簡単な説明】
【０１５８】
【図１】本発明のＰＬＣ通信を用いたネットワークシステムについて、その実施形態に係るシステム構成例を説明するための図である。
【図２】図１において、受電設備からフロア入口分電盤までの電力線の経路と、このフロア入口分電盤から遊技機までの伝送路の経路例を説明するための図である。
【図３】図１に示すシステム構成を、３階建ての遊技ホールに適用したときのネットワークの配置例を説明するための図である。
【図４】図１に示すＰＬＣ親機モデムについて、その制御回路の構成例を示すブロック図である。
【図５−１】同じく、図１に示す遊技機を接続しているＰＬＣ子機モデムについて、その制御回路の構成例を示すブロック図である。
【図５−２】同じく、図１に示すホール内ＬＡＮに接続しているＰＬＣ子機モデムについて、その制御回路の構成例を示すブロック図である。
【図６】同じく、図１に示すＰＬＣ中継機について、その制御回路の構成例を示すブロック図である。
【図７】同じく、図１に示す分岐アダプタについて、４分岐の分岐アダプタの回路構成例を示す図である。
【図８】図７に示す４分岐の分岐アダプタについて、その使用例を説明するための図である。
【図９】同じく、図１に示すフロア入口分電盤とＰＬＣ中継機との接続方式を説明するための図である。
【図１０】同じく、図１に示すフロア入口分電盤とＰＬＣ中継機との接続方式について、他の接続方式を説明するための図である。
【図１１】同じく、図１に示す島分電盤と第２の分岐アダプタとの接続方式について、その接続方式を説明するための図である。
【図１２】同じく、図１に示す島分電盤と第２の分岐アダプタとの接続方式について、他の接続方式を説明するための図である。
【図１３】本発明のＰＬＣ通信を用いたネットワークシステムにおいて、データを伝送するために設定したマスタフレームの構成例を説明するための図である。
【図１４】図１に示すＰＬＣ親機モデムとＰＬＣ中継機とＰＬＣ子機モデムを識別するための固有の識別情報の構成を説明するための図である。
【図１５】（ａ）は、ＰＬＣ親機モデムと、ＰＬＣ中継機と、ＰＬＣ中継機の制御配下にあるＰＬＣ子機モデムについて、その接続関係を説明するための図である。（ｂ）は、（ａ）に示す接続関係のネットワークについて、ＰＬＣ親機モデムがポーリング制御を実施するときに参照するポーリングテーブルＰＴのデータ構成の一例を説明するための図である。
【図１６】本発明において、ＰＬＣ親機モデムの制御に基づいて実施されるポーリング制御について、その制御手順の一例を説明するためのタイムチャートである。
【図１７】本発明において、緊急通報をＰＬＣ子機モデムからＰＬＣ中継機を経由してＰＬＣ親機モデムに伝送するときに、その伝送手順を説明するためのタイムチャートである。
【図１８】図１に示す分岐アダプタについて、１６分岐の分岐アダプタの回路構成例を示す図である。
【符号の説明】
【０１５９】
２  ：分電盤
３ａ、３ｂ、３ｃ、・・・：フロア入口分電盤
４ａ、４ｂ、４ｃ、４ｄ、４ｅ、４ｆ、４ｇ：電力線
５：島分電盤
６：変換トランス
７：第２の分岐アダプタ
８：端末装置（遊技機）
９：ＰＬＣ子機モデム
１０ｂ、１０ｃ、１０ｄ：通信線
１０ａ：ＬＡＮケーブル
１１：ホール内ＬＡＮ
１２：サーバ（店舗サーバ）
１３：ＰＬＣ親機モデム
１４：第２のＰＬＣ親機モデム
１５：第１の分岐アダプタ
１６：ＰＬＣ中継機
１７：コンセント
２１：センタサーバ
４４：制御部
４４ａ：ＲＯＭ
５１−１、５１−２、５１−３、・・・：高周波トランス素子
５５：コンデンサ
ＰＴ：ポーリングテーブル
【図１】
2010028554.tif 000003
【図２】
2010028554.tif 000004
【図３】
2010028554.tif 000005
【図４】
2010028554.tif 000006
【図５−１】
2010028554.tif 000007
【図５−２】
2010028554.tif 000008
【図６】
2010028554.tif 000009
【図７】
2010028554.tif 000010
【図８】
2010028554.tif 000011
【図９】
2010028554.tif 000012
【図１０】
2010028554.tif 000013
【図１１】
2010028554.tif 000014
【図１２】
2010028554.tif 000015
【図１３】
2010028554.tif 000016
【図１４】
2010028554.tif 000017
【図１５】
2010028554.tif 000018
【図１６】
2010028554.tif 000019
【図１７】
2010028554.tif 000020
【図１８】
2010028554.tif 000021